(57)【要約】【課題】コンテンツおよびこれに関連する情報を適切に提供する。【解決手段】情報処理装置は、受付部および制御部を具備する情報処理装置である。この受付部は、無線通信装置により行われる近距離無線通信に応じて生じるコンテンツの取得要求を受け付けるものである。また、制御部は、その受付部により受け付けられた取得要求に係るコンテンツであって利用制限が付されているコンテンツと、このコンテンツに関連する付随情報とをその無線通信装置に送信する制御を行うものである。【選択図】図２
2013247594.tif 000002
【特許請求の範囲】
【請求項１】
無線通信装置により行われる近距離無線通信に応じて生じるコンテンツの取得要求を受け付ける受付部と、
前記受け付けられた取得要求に係るコンテンツであって利用制限が付されているコンテンツとこれに関連する付随情報とを前記無線通信装置に送信する制御を行う制御部と
を具備する情報処理装置。
【請求項２】
前記受付部は、前記無線通信装置との間で近距離無線通信を行う近距離無線通信部であり、
前記取得要求は、前記無線通信装置との間で近距離無線通信が開始されたタイミングに応じて受け付けられる
請求項１記載の情報処理装置。
【請求項３】
前記情報処理装置は、前記無線通信装置との間で近距離無線通信を行う通信装置と接続され、
前記取得要求は、前記無線通信装置と前記通信装置との間で近距離無線通信が開始されたタイミングに応じて前記無線通信装置および前記通信装置のうちの何れか一方から出力される
請求項１記載の情報処理装置。
【請求項４】
前記制御部は、前記付随情報に利用制限を付して前記無線通信装置に送信する制御を行う請求項１記載の情報処理装置。
【請求項５】
前記制御部は、前記受け付けられた取得要求に係るコンテンツに関連する他のコンテンツであって利用制限が付されているコンテンツを前記付随情報として前記無線通信装置に送信する制御を行う請求項４記載の情報処理装置。
【請求項６】
前記制御部は、前記受け付けられた取得要求に係るコンテンツとともに当該コンテンツの一部を利用可能とするための鍵情報を前記無線通信装置に送信する制御を行う請求項１記載の情報処理装置。
【請求項７】
前記制御部は、前記受け付けられた取得要求に係るコンテンツに関連する情報であって前記無線通信装置のユーザに所定のサービスを提供するためのサービス情報を前記付随情報として前記無線通信装置に送信する制御を行う請求項１記載の情報処理装置。
【請求項８】
前記制御部は、前記付随情報を前記無線通信装置に送信して、前記無線通信装置に設定されている専用メモリに前記付随情報を記憶させる制御を行う請求項１記載の情報処理装置。
【請求項９】
前記制御部は、前記専用メモリの許容量に応じた前記付随情報のみを前記無線通信装置に送信する制御を行う請求項８記載の情報処理装置。
【請求項１０】
前記制御部は、前記無線通信装置により前記近距離無線通信が行われている場所と、前記無線通信装置のユーザと、当該近距離無線通信が行われた日時と、前記受け付けられた取得要求に係るコンテンツの内容との少なくとも１つに基づいて、前記付随情報を決定する請求項１記載の情報処理装置。
【請求項１１】
近距離無線通信に応じて生じるコンテンツの取得要求に応じて情報処理装置から送信されるコンテンツであって利用制限が付されているコンテンツとこれに関連する情報であって利用制限が付されている付随情報とを前記情報処理装置から取得し、前記取得されたコンテンツと前記取得された付随情報とを利用制限の範囲内で使用する制御を行う制御部を具備する無線通信装置。
【請求項１２】
近距離無線通信に応じて生じるコンテンツの取得要求に応じて情報処理装置から送信されるコンテンツであって利用制限が付されているコンテンツとこれに関連する情報であって利用制限が付されている付随情報とを前記情報処理装置から取得し、前記取得されたコンテンツと前記取得された付随情報とを利用制限の範囲内で使用する制御を行う制御部を備える無線通信装置と、
前記取得要求に係るコンテンツと前記付随情報とを前記無線通信装置に送信する制御を行う制御部を備える情報処理装置と
を具備する情報処理システム。
【請求項１３】
無線通信装置により行われる近距離無線通信に応じて生じるコンテンツの取得要求を受け付ける受付手順と、
前記受け付けられた取得要求に係るコンテンツであって利用制限が付されているコンテンツとこれに関連する付随情報とを前記無線通信装置に送信する制御手順と
を具備する情報処理方法。
【発明の詳細な説明】
【技術分野】
【０００１】
本技術は、情報処理装置に関する。詳しくは、コンテンツを扱う情報処理装置、無線通信装置、情報処理システムおよび情報処理方法に関する。
【背景技術】
【０００２】
近年、紙媒体の雑誌等の書籍を電子データ化して情報処理装置（例えば、スマートフォンや電子書籍閲覧装置）により扱うことが可能なコンテンツが存在する。また、これらのコンテンツを扱う情報処理装置が多数提案されている。
【０００３】
例えば、非接触通信を利用してコンテンツのやり取りを行う通信装置が提案されている（例えば、特許文献１参照。）。
【先行技術文献】
【特許文献】
【０００４】
【特許文献１】特開２０１２−６０５５５号公報
【発明の概要】
【発明が解決しようとする課題】
【０００５】
上述の従来技術によれば、非接触通信を利用して著作権管理されているコンテンツのやり取りを好適に行うことができる。
【０００６】
ここで、例えば、紙媒体の書籍を販売する書店が多数存在するが、紙媒体の書籍については、インターネットに接続されている情報処理装置を利用して購入することも可能である。また、紙媒体の書籍が電子データ化されたコンテンツについても、インターネットに接続されている情報処理装置を利用して購入することが可能である。
【０００７】
ここで、書店においては、ユーザが書籍を実際に手に持って見ることができるため、ユーザが興味を持っている書籍の内容を容易に把握しやすいと想定される。また、ユーザは、スマートフォン等の無線通信装置を常時所有していることが多い。
【０００８】
そこで、例えば、書店においてユーザが興味を持った書籍を、その書籍が電子データ化されたコンテンツとして提供することができれば、書店の集客力を向上させるとともに販売機会を増加させることができると考えられる。また、ユーザは、興味を持った書籍を容易に安く手に入れられることができる。また、そのようにコンテンツを提供する場合に、そのコンテンツに関連する情報についてもユーザに提供することができれば、ユーザおよび書店の双方にとってメリットがあると考えられる。
【０００９】
本技術はこのような状況に鑑みて生み出されたものであり、コンテンツおよびこれに関連する情報を適切に提供することを目的とする。
【課題を解決するための手段】
【００１０】
本技術は、上述の問題点を解消するためになされたものであり、その第１の側面は、無線通信装置により行われる近距離無線通信に応じて生じるコンテンツの取得要求を受け付ける受付部と、上記受け付けられた取得要求に係るコンテンツであって利用制限が付されているコンテンツとこれに関連する付随情報とを上記無線通信装置に送信する制御を行う制御部とを具備する情報処理装置およびその情報処理方法ならびに当該方法をコンピュータに実行させるプログラムである。これにより、無線通信装置により行われる近距離無線通信に応じて生じるコンテンツの取得要求に係るコンテンツ（利用制限が付されているコンテンツ）と、これに関連する付随情報とを無線通信装置に送信するという作用をもたらす。
【００１１】
また、この第１の側面において、上記受付部は、上記無線通信装置との間で近距離無線通信を行う近距離無線通信部であり、上記取得要求は、上記無線通信装置との間で近距離無線通信が開始されたタイミングに応じて受け付けられるようにしてもよい。これにより、無線通信装置との間で近距離無線通信が開始されたタイミングに応じて取得要求が受け付けられるという作用をもたらす。
【００１２】
また、この第１の側面において、上記情報処理装置は、上記無線通信装置との間で近距離無線通信を行う通信装置と接続され、上記取得要求は、上記無線通信装置と上記通信装置との間で近距離無線通信が開始されたタイミングに応じて上記無線通信装置および上記通信装置のうちの何れか一方から出力されるようにしてもよい。これにより、取得要求は、無線通信装置と通信装置との間で近距離無線通信が開始されたタイミングに応じて、無線通信装置および通信装置のうちの何れか一方から出力されるという作用をもたらす。
【００１３】
また、この第１の側面において、上記制御部は、上記付随情報に利用制限を付して上記無線通信装置に送信する制御を行うようにしてもよい。これにより、付随情報に利用制限を付して無線通信装置に送信するという作用をもたらす。
【００１４】
また、この第１の側面において、上記制御部は、上記受け付けられた取得要求に係るコンテンツに関連する他のコンテンツであって利用制限が付されているコンテンツを上記付随情報として上記無線通信装置に送信する制御を行うようにしてもよい。これにより、受け付けられた取得要求に係るコンテンツに関連する他のコンテンツ（利用制限が付されているコンテンツ）を付随情報として無線通信装置に送信するという作用をもたらす。
【００１５】
また、この第１の側面において、上記制御部は、上記受け付けられた取得要求に係るコンテンツとともに当該コンテンツの一部を利用可能とするための鍵情報を上記無線通信装置に送信する制御を行うようにしてもよい。これにより、受け付けられた取得要求に係るコンテンツとともに、このコンテンツの一部を利用可能とするための鍵情報を無線通信装置に送信するという作用をもたらす。
【００１６】
また、この第１の側面において、上記制御部は、上記受け付けられた取得要求に係るコンテンツに関連する情報であって上記無線通信装置のユーザに所定のサービスを提供するためのサービス情報を上記付随情報として上記無線通信装置に送信する制御を行うようにしてもよい。これにより、受け付けられた取得要求に係るコンテンツに関連する情報（無線通信装置のユーザに所定のサービスを提供するためのサービス情報）を付随情報として無線通信装置に送信するという作用をもたらす。
【００１７】
また、この第１の側面において、上記制御部は、上記付随情報を上記無線通信装置に送信して、上記無線通信装置に設定されている専用メモリに上記付随情報を記憶させる制御を行うようにしてもよい。これにより、付随情報を無線通信装置に送信して、無線通信装置に設定されている専用メモリに付随情報を記憶させるという作用をもたらす。
【００１８】
また、この第１の側面において、上記制御部は、上記専用メモリの許容量に応じた上記付随情報のみを上記無線通信装置に送信する制御を行うようにしてもよい。これにより、専用メモリの許容量に応じた付随情報のみを無線通信装置に送信するという作用をもたらす。
【００１９】
また、この第１の側面において、上記制御部は、上記無線通信装置により上記近距離無線通信が行われている場所と、上記無線通信装置のユーザと、当該近距離無線通信が行われた日時と、上記受け付けられた取得要求に係るコンテンツの内容との少なくとも１つに基づいて、上記付随情報を決定するようにしてもよい。これにより、無線通信装置により近距離無線通信が行われている場所と、無線通信装置のユーザと、その近距離無線通信が行われた日時と、受け付けられた取得要求に係るコンテンツの内容との少なくとも１つに基づいて、付随情報を決定するという作用をもたらす。
【００２０】
また、本技術の第２の側面は、近距離無線通信に応じて生じるコンテンツの取得要求に応じて情報処理装置から送信されるコンテンツであって利用制限が付されているコンテンツとこれに関連する情報であって利用制限が付されている付随情報とを上記情報処理装置から取得し、上記取得されたコンテンツと上記取得された付随情報とを利用制限の範囲内で使用する制御を行う制御部を具備する無線通信装置およびその制御方法ならびに当該方法をコンピュータに実行させるプログラムである。これにより、近距離無線通信に応じて生じるコンテンツの取得要求に応じて情報処理装置から送信されるコンテンツ（利用制限が付されているコンテンツ）と、これに関連する情報（利用制限が付されている付随情報）とを情報処理装置から取得し、この取得されたコンテンツおよび付随情報を利用制限の範囲内で使用するという作用をもたらす。
【００２１】
また、本技術の第３の側面は、近距離無線通信に応じて生じるコンテンツの取得要求に応じて情報処理装置から送信されるコンテンツであって利用制限が付されているコンテンツとこれに関連する情報であって利用制限が付されている付随情報とを上記情報処理装置から取得し、上記取得されたコンテンツと上記取得された付随情報とを利用制限の範囲内で使用する制御を行う制御部を備える無線通信装置と、上記取得要求に係るコンテンツと上記付随情報とを上記無線通信装置に送信する制御を行う制御部を備える情報処理装置とを具備する情報処理システムおよびその制御方法ならびに当該方法をコンピュータに実行させるプログラムである。これにより、無線通信装置は、近距離無線通信に応じて生じるコンテンツの取得要求に応じて情報処理装置から送信されるコンテンツ（利用制限が付されているコンテンツ）と、これに関連する情報（利用制限が付されている付随情報）とを情報処理装置から取得し、この取得されたコンテンツおよび付随情報を利用制限の範囲内で使用し、情報処理装置は、その取得要求に係るコンテンツ（利用制限が付されているコンテンツ）と付随情報（利用制限が付されている付随情報）とを無線通信装置に送信するという作用をもたらす。
【発明の効果】
【００２２】
本技術によれば、コンテンツおよびこれに関連する情報を適切に提供することができるという優れた効果を奏し得る。
【図面の簡単な説明】
【００２３】
【図１】本技術の第１の実施の形態における情報処理システム１００のシステム構成例を示すブロック図である。
【図２】本技術の第１の実施の形態におけるコンテンツサーバ２００の機能構成例を示すブロック図である。
【図３】本技術の第１の実施の形態におけるコンテンツ管理データベース２３０を模式的に示す図である。
【図４】本技術の第１の実施の形態におけるライセンスサーバ３００の機能構成例を示すブロック図である。
【図５】本技術の第１の実施の形態におけるライセンス鍵管理データベース３２０を模式的に示す図である。
【図６】本技術の第１の実施の形態におけるドメイン管理データベース３３０を模式的に示す図である。
【図７】本技術の第１の実施の形態における無線通信装置４００の機能構成例を示すブロック図である。
【図８】本技術の第１の実施の形態における無線通信装置４００を用いてコンテンツ（使用制限が付されているコンテンツ）を取得する場合における取得の遷移例を簡略化して示す図である。
【図９】本技術の第１の実施の形態における無線通信装置４００を用いてコンテンツ（使用制限が付されているコンテンツ）を取得する場合における取得時のデータの流れを簡略化して示す図である。
【図１０】本技術の第１の実施の形態における表示部４５０に表示される表示画面の一例（表示画面５２０）を示す図である。
【図１１】本技術の第１の実施の形態における表示部４５０に表示される表示画面の一例（表示画面５３０）を示す図である。
【図１２】本技術の第１の実施の形態における無線通信装置４００を用いてライセンス鍵を取得する場合における取得時のデータの流れを簡略化して示す図である。
【図１３】本技術の第１の実施の形態における表示部４５０に表示される表示画面の一例（表示画面５５０）を示す図である。
【図１４】本技術の第１の実施の形態における情報処理システム１００を構成する各装置間における通信処理例を示すシーケンスチャートである。
【図１５】本技術の第１の実施の形態におけるコンテンツサーバ２００によるコンテンツ送信処理の処理手順の一例を示すフローチャートである。
【図１６】本技術の第１の実施の形態における無線通信装置４００によるコンテンツ取得処理の処理手順の一例を示すフローチャートである。
【図１７】本技術の第１の実施の形態における無線通信装置４００を用いてコンテンツ（使用制限が付されているコンテンツ）を取得する場合における取得時のデータの流れを簡略化して示す図である。
【図１８】本技術の第１の実施の形態における表示部４５０に表示される表示画面の一例（表示画面５７０）を示す図である。
【図１９】本技術の第１の実施の形態における表示部４５０に表示される表示画面の一例（表示画面５８０）を示す図である。
【図２０】本技術の第１の実施の形態における表示部４５０に表示される表示画面の一例（表示画面５９０）を示す図である。
【図２１】本技術の第１の実施の形態における情報処理システム１００を構成する各装置間における通信処理例を示すシーケンスチャートである。
【図２２】本技術の第１の実施の形態における情報処理システム１００を構成する各装置間における通信処理例を示すシーケンスチャートである。
【図２３】本技術の第２の実施の形態における記憶部４６０のメモリ容量の一例を模式的に示す図である。
【図２４】本技術の第２の実施の形態におけるコンテンツサーバ２００によるコンテンツ送信処理の処理手順の一例を示すフローチャートである。
【図２５】本技術の第３の実施の形態における無線通信装置４００および無線通信装置４０１間においてコンテンツおよびそのライセンス鍵をコピーする場合を簡略化して示す図である。
【図２６】本技術の第３の実施の形態における無線通信装置４０１を用いてドメイン鍵を取得する場合における取得時のデータの流れを簡略化して示す図である。
【図２７】本技術の第３の実施の形態における情報処理システム１００を構成する各装置間における通信処理例を示すシーケンスチャートである。
【図２８】本技術の第３の実施の形態における情報処理システム１００を構成する各装置間における通信処理例を示すシーケンスチャートである。
【図２９】本技術の第３の実施の形態における無線通信装置４００によるドメイン登録処理の処理手順の一例を示すフローチャートである。
【図３０】本技術の第３の実施の形態における無線通信装置４０１によるコンテンツコピー処理の処理手順の一例を示すフローチャートである。
【発明を実施するための形態】
【００２４】
以下、本技術を実施するための形態（以下、実施の形態と称する）について説明する。説明は以下の順序により行う。
１．第１の実施の形態（通信制御：試し読み要求に係るコンテンツとともに付随情報を送信する例）
２．第２の実施の形態（通信制御：無線通信装置の記憶部の付随情報専用領域の容量に応じて付随情報を変更する例）
３．第３の実施の形態（通信制御：ダウンロードしたコンテンツを他の無線通信装置にコピーして使用する例）
【００２５】
＜１．第１の実施の形態＞
［情報処理システムの構成例］
図１は、本技術の第１の実施の形態における情報処理システム１００のシステム構成例を示すブロック図である。
【００２６】
情報処理システム１００は、ネットワーク１１０と、通信制御装置１２０と、基地局１２１と、コンテンツサーバ２００と、タッチポイント２５０と、ライセンスサーバ３００と、無線通信装置４００乃至４０２とを備える。
【００２７】
ネットワーク１１０は、電話網、インターネット等のネットワーク（例えば、公衆回線網）である。また、ネットワーク１１０と通信制御装置１２０とは、ゲートウェイ（図示せず）を介して接続される。
【００２８】
通信制御装置１２０は、無線接続サービスを提供する通信事業者により管理される通信制御装置である。例えば、通信制御装置１２０は、無線接続サービス（例えば、３Ｇネットワークを使用する無線接続サービス）を提供する通信事業者（例えば、携帯電話事業者）により設置される。
【００２９】
例えば、通信制御装置１２０は、基地局１２１を介して接続される無線通信装置の認証制御を行う。例えば、通信制御装置１２０は、基地局１２１を介して接続される無線通信装置のうち、通信制御装置１２０の認証情報（例えば、ＵＳＩＭ（Universal Subscriber Identity Module））を保持する無線通信装置を認証する。そして、通信制御装置１２０は、認証された無線通信装置をゲートウェイ（図示せず）を介してネットワーク１１０に接続する。
【００３０】
基地局１２１は、認証された無線通信装置と通信制御装置１２０とを無線回線を介して接続する移動体通信基地局（ＮｏｄｅＢ）である。
【００３１】
コンテンツサーバ２００は、タッチポイント２５０を介して各種コンテンツを提供する情報処理装置であり、近距離無線通信を利用して無線通信装置４００に各種コンテンツを提供する。コンテンツサーバ２００は、例えば、図９に示すように、書店１０内に設置される。なお、コンテンツサーバ２００については、図２を参照して詳細に説明する。なお、コンテンツサーバ２００は、特許請求の範囲に記載の情報処理装置の一例である。
【００３２】
タッチポイント２５０は、無線通信装置４００との間で近距離無線通信を行うための通信装置である。タッチポイント２５０は、例えば、図９に示すように、書店１０内において、１または複数の書籍毎に設置される。なお、タッチポイント２５０は、特許請求の範囲に記載の通信装置および情報処理装置の一例である。
【００３３】
ここで、本技術の第１の実施の形態では、近距離無線通信として非接触通信を用いる例を示す。この非接触通信は、０〜数十ｃｍ程度の伝送距離でデータ伝送を行う無線通信であり、周辺に存在する反射物からの反射波が小さいため干渉の影響が少なく、伝送路上でのハッキングを防止することができ、秘匿性を確保することができる。また、非接触通信における通信距離を数ｃｍに限定することにより、通信処理を高速化することができるとともに、無線通信装置（電子機器）を小規模化することができ、省電力化を達成することができる。また、非接触通信は、例えば、静電結合方式、電磁誘導方式、電波通信方式等の非接触通信方式により実現される。
【００３４】
高速通信に適用可能な非接触通信技術として、本技術の第１の実施の形態では、微弱なＵＷＢ（Ultra Wide Band）信号を用いた近接無線転送技術（ＴｒａｎｓｆｅｒＪｅｔ（登録商標））を用いる例を示す。ＴｒａｎｓｆｅｒＪｅｔは、基本的に、誘導電界の結合作用を利用して信号を伝送する方式である。また、ＴｒａｎｓｆｅｒＪｅｔの無線通信装置は、高周波信号の処理を行う通信回路部と、グランドに対してある程度の高さで離間して配置されている結合用電極と、結合用電極に高周波信号を効率的に供給する共振部とにより構成される。すなわち、タッチポイント２５０および無線通信装置４００は、これらの各部を備える。
【００３５】
ライセンスサーバ３００は、基地局１２１を介して接続される無線通信装置４００乃至４０２について、各種ライセンスの制御を行う情報処理装置である。例えば、ライセンスサーバ３００は、コンテンツサーバ２００から提供されたコンテンツの全てを使用するためのライセンス鍵を、無線通信装置からの要求に応じて送信する。なお、ライセンスサーバ３００については、図４を参照して詳細に説明する。
【００３６】
無線通信装置４００乃至４０２は、無線通信を利用して通信制御装置１２０を介してライセンスサーバ３００との間で通信を行うことが可能な無線通信装置（電子機器）である。無線通信装置４００は、例えば、スマートフォン（例えば、通話機能およびデータ通信機能を備える情報処理装置）であり、無線通信装置４０１は、例えば、タブレットＰＣ（Personal Computer ）である。また、無線通信装置４０２は、例えば、無線通信機能を備える電子書籍表示装置である。なお、例えば、無線通信機能を備える撮像装置（例えば、デジタルスチルカメラ、デジタルビデオカメラ（例えば、カメラ一体型レコーダ）、無線通信機能を備える音声出力装置（例えば、携帯型ミュージックプレーヤー）を用いるようにしてもよい。また、例えば、無線通信機能を備える無線通信機器を装着することにより、無線通信を行うことが可能な情報処理装置（例えば、無線通信機能を備えていないパーソナルコンピュータ）を用いるようにしてもよい。
【００３７】
例えば、無線通信装置４００乃至４０２は、認証情報に基づいて基地局１２１を介して通信制御装置１２０と接続し、ネットワーク１１０に接続することができる。また、例えば、無線通信装置４００乃至４０２は、近距離無線通信を利用してタッチポイント２５０を介してコンテンツサーバ２００に接続することができる。また、無線通信装置４００乃至４０２のそれぞれは、近距離無線通信を利用して互いに接続してデータの送受信を行うことができる。なお、２つの無線通信装置間における通信例については、本技術の第３の実施の形態で示す。
【００３８】
［コンテンツサーバの構成例］
図２は、本技術の第１の実施の形態におけるコンテンツサーバ２００の機能構成例を示すブロック図である。
【００３９】
コンテンツサーバ２００は、通信部２１０と、コンテンツ提供部２２０と、コンテンツ管理データベース２３０と、制御部２４０とを備える。
【００４０】
通信部２１０は、タッチポイント２５０と接続され、制御部２４０の制御に基づいて、タッチポイント２５０を介して接続される無線通信装置４００との間で通信を行うものである。例えば、通信部２１０は、無線通信装置４００から送信される各情報（例えば、図１４に示す試し読み要求）を、タッチポイント２５０を介して受け付け、その受け付けられた各情報を制御部２４０に出力する。また、通信部２１０は、コンテンツ提供部２２０から出力された各種コンテンツを無線通信装置４００に、タッチポイント２５０を介して送信する。なお、通信部２１０は、特許請求の範囲に記載の受付部の一例である。
【００４１】
コンテンツ提供部２２０は、制御部２４０の制御に基づいて、タッチポイント２５０を介して接続される無線通信装置４００からの要求に応じた各種コンテンツを無線通信装置４００に提供するものである。また、コンテンツ提供部２２０は、各種コンテンツを提供する際にコンテンツ管理データベース２３０に格納されている各種データを用いる。例えば、無線通信装置４００から試し読み要求が受け付けられた場合には、コンテンツ提供部２２０は、その要求に係るコンテンツ（例えば、電子書籍コンテンツ、試し読み鍵）をコンテンツ管理データベース２３０から取得する。そして、コンテンツ提供部２２０は、その取得されたコンテンツを、通信部２１０を介して無線通信装置４００に送信する。
【００４２】
コンテンツ管理データベース２３０は、各無線通信装置に提供するための各種コンテンツを格納するデータベースである。なお、コンテンツ管理データベース２３０については、図３を参照して詳細に説明する。
【００４３】
制御部２４０は、タッチポイント２５０を介して接続される無線通信装置４００との間で行われる通信に関する制御を行うものである。例えば、制御部２４０は、コンテンツ提供処理（通信処理）を行うための制御を行う。なお、コンテンツ提供処理は、コンテンツサーバ２００から無線通信装置４００にコンテンツを提供する通信処理（コンテンツサーバ２００から無線通信装置４００にコンテンツをダウンロードする通信処理）である。
【００４４】
また、例えば、制御部２４０は、取得要求（例えば、図１４に示す試し読み要求）を受け付けた場合には、その取得要求に係るコンテンツ（利用制限が付されているコンテンツ）と、これに関連する付随情報とを無線通信装置に送信する制御を行う。この場合に、制御部２４０は、例えば、受け付けられた取得要求に係るコンテンツとともに、このコンテンツの一部を利用可能とするための鍵情報（例えば、図９、図１７に示す第１試し読み鍵５１１）を無線通信装置に送信する制御を行う。
【００４５】
ここで、付随情報は、例えば、その取得要求に係るコンテンツに関連する他のコンテンツ（利用制限が付されているコンテンツ）であり、例えば、図１７に示す付随情報５６０である。この場合に、制御部２４０は、例えば、付随情報に利用制限を付して無線通信装置に送信する制御を行う。例えば、他のコンテンツの一部を利用可能とするための鍵情報（例えば、図１７に示す第２試し読み鍵５６２、第３試し読み鍵５６４）が一緒に無線通信装置に送信される。
【００４６】
また、付随情報は、例えば、その取得要求に係るコンテンツに関連するサービス情報（その取得要求を送信した無線通信装置のユーザに所定のサービスを提供するためのサービス情報）であり、例えば、クーポンや割引券である。このサービス情報の表示例を図１９、図２０に示す。
【００４７】
［コンテンツ管理データベースの構成例］
図３は、本技術の第１の実施の形態におけるコンテンツ管理データベース２３０を模式的に示す図である。
【００４８】
コンテンツ管理データベース２３０には、コンテンツ識別情報２３１と、電子書籍コンテンツ２３２と、試し読み鍵２３３と、付随情報２３４とが関連付けて記憶されている。これらの情報は、例えば、コンテンツサーバ２００が設置されている書店の担当者からの登録修正要求に基づいて、制御部２４０により順次更新される。
【００４９】
コンテンツ識別情報２３１には、各コンテンツを識別するための識別情報が格納される。
【００５０】
電子書籍コンテンツ２３２には、無線通信装置に提供される電子書籍コンテンツが格納される。
【００５１】
試し読み鍵２３３には、無線通信装置に提供される電子書籍コンテンツの一部を試し読みするための鍵情報が格納される。
【００５２】
ここで、一般に、有料コンテンツは、不正コピーによる無制限な利用を防止するため、デジタル著作権管理（ＤＲＭ（Digital Right Management）が施されている。このため、デジタル著作権管理されているコンテンツを表示するためには、コンテンツ本体のデータ以外にライセンス鍵（ライセンスキー）が必要となる。
【００５３】
また、試し読み鍵は、デジタル著作権管理されているコンテンツの一部（予め設定されている部分（例えば、目次や主要な数ページ））のみを無料で表示することができる鍵（例えば、利用制限の一部を解除するための鍵）である。
【００５４】
付随情報２３４には、無線通信装置からの試し読み要求に係る電子書籍コンテンツとともに送信する各種情報が格納される。例えば、試し読み要求を送信した無線通信装置のユーザに勧めるためのコンテンツの識別情報が格納される。また、試し読み要求を送信した無線通信装置のユーザに提供する広告情報が格納される。このように、付随情報２３４には、無線通信装置からの試し読み要求に係るコンテンツに関連する各種情報（例えば、お勧め情報、広告）が格納される。
【００５５】
［ライセンスサーバの構成例］
図４は、本技術の第１の実施の形態におけるライセンスサーバ３００の機能構成例を示すブロック図である。
【００５６】
ライセンスサーバ３００は、通信部３１０と、ライセンス鍵管理データベース３２０と、ドメイン管理データベース３３０と、制御部３４０とを備える。
【００５７】
通信部３１０は、ネットワーク１１０と接続され、制御部３４０の制御に基づいて、ネットワーク１１０を介して接続される無線通信装置４００乃至４０２との間で通信を行うものである。例えば、通信部３１０は、無線通信装置４００から送信される各情報（例えば、図１４に示す購入要求）を、ネットワーク１１０を介して受け付け、その受け付けられた各情報を制御部３４０に出力する。また、通信部３１０は、ライセンス鍵管理データベース３２０、ドメイン管理データベース３３０に記憶されている各情報を無線通信装置４００乃至４０２に送信する。
【００５８】
ライセンス鍵管理データベース３２０は、各無線通信装置に提供するライセンス鍵を格納するデータベースである。なお、ライセンス鍵管理データベース３２０については、図５を参照して詳細に説明する。
【００５９】
ドメイン管理データベース３３０は、各無線通信装置に提供するドメイン鍵を格納するデータベースである。ここで、ドメイン鍵は、コンテンツを共有する電子機器に付与される同一の鍵である。なお、ドメイン管理データベース３３０については、図６を参照して詳細に説明する。
【００６０】
制御部３４０は、ネットワーク１１０を介して接続される無線通信装置４００乃至４０２との間で行われる通信に関する制御を行うものである。例えば、制御部３４０は、ライセンス鍵やドメイン鍵を提供するための制御を行う。
【００６１】
［ライセンス鍵管理データベースの構成例］
図５は、本技術の第１の実施の形態におけるライセンス鍵管理データベース３２０を模式的に示す図である。
【００６２】
ライセンス鍵管理データベース３２０には、コンテンツ識別情報３２１と、ライセンス鍵３２２と、コンテンツ購入額３２３と、ドメイン情報３２４とが関連付けて記憶されている。これらの情報は、例えば、コンテンツを販売する担当者からの登録修正要求に基づいて、制御部３４０により順次更新される。
【００６３】
コンテンツ識別情報３２１には、各コンテンツを識別するための識別情報が格納される。なお、コンテンツ識別情報３２１は、図３に示すコンテンツ識別情報２３１に対応する。
【００６４】
ライセンス鍵３２２には、無線通信装置に提供される電子書籍コンテンツを表示するためのライセンス鍵が格納される。
【００６５】
コンテンツ購入額３２３には、コンテンツを購入するための購入金額に関する情報が格納される。例えば、コンテンツ購入額３２３に格納されている購入金額の支払いを条件に、ライセンス鍵の送信処理が行われる。
【００６６】
ドメイン情報３２４には、ドメイン管理データベース３３０により管理されているドメイン情報（図６に示すドメイン情報３３１）が格納される。例えば、ライセンス鍵を購入したユーザのドメイン情報が、そのライセンス鍵に係るコンテンツ識別情報に関連付けて記録される。これにより、ライセンス鍵を購入したユーザを特定することができる。
【００６７】
［ドメイン管理データベースの構成例］
図６は、本技術の第１の実施の形態におけるドメイン管理データベース３３０を模式的に示す図である。
【００６８】
ドメイン管理データベース３３０には、ドメイン情報３３１と、パスワード３３２と、ドメイン鍵３３３と、登録端末情報３３４とが関連付けて記憶されている。これらの情報は、例えば、ドメイン登録に関する各手続を行う無線通信装置からの要求に基づいて、制御部３４０により順次更新される。
【００６９】
ドメイン情報３３１には、ドメイン登録をしたユーザ（無線通信装置）毎に付与されるドメイン情報である。例えば、１または複数の無線通信装置によりドメイン情報を共有することができる。
【００７０】
パスワード３３２には、ドメイン登録をしてドメイン鍵を取得する際に用いられるパスワードである。
【００７１】
ドメイン鍵３３３には、コンテンツサーバ２００からダウンロードされたコンテンツを、他の無線通信装置にコピーして表示させる際に必要となるドメイン鍵が格納される。
【００７２】
登録端末情報３３４には、ドメイン登録されている無線通信装置を識別するための端末識別情報（例えば、機器固有ＩＤ）および端末機種情報が格納される。例えば、無線通信装置４００の端末識別情報を「１１２３」とし、無線通信装置４０１の端末識別情報を「１２３４」とする。
【００７３】
なお、ドメイン登録例や、コンテンツサーバ２００からダウンロードされたコンテンツを他の無線通信装置にコピーする例については、本技術の第３の実施の形態で説明する。
【００７４】
［無線通信装置の構成例］
図７は、本技術の第１の実施の形態における無線通信装置４００の機能構成例を示すブロック図である。なお、無線通信装置４０１、４０２の機能構成については、無線通信装置４００と略同様であるため、ここでの説明を省略する。
【００７５】
無線通信装置４００は、無線通信部４１０と、近距離無線通信部４２０と、制御部４３０と、操作受付部４４０と、表示部４５０と、記憶部４６０とを備える。なお、マイクロフォンやスピーカ等については、図示および説明を省略する。
【００７６】
無線通信部４１０は、制御部４３０の制御に基づいて、所定の通信方式に対応する無線通信を行うものである。例えば、無線通信部４１０は、３Ｇネットワークを使用して無線通信を行う。
【００７７】
近距離無線通信部４２０は、制御部４３０の制御に基づいて、タッチポイント２５０との間で、近距離無線通信方式に対応する無線通信を行うものである。ここで、上述したように、近距離無線通信方式として、本技術の第１の実施の形態では、ＴｒａｎｓｆｅｒＪｅｔを用いる例を示す。
【００７８】
制御部４３０は、メモリ（図示せず）に格納されている制御プログラムに基づいて各種の制御を行うものである。制御部４３０は、例えば、マイクロプロセッサにより構成される。例えば、制御部４３０は、無線通信部４１０と接続され、基地局１２１を介して接続される通信制御装置１２０との間で行われる各種データの送受信を行う。また、例えば、制御部４３０は、近距離無線通信部４２０と接続され、タッチポイント２５０を介して接続されるコンテンツサーバ２００との間で行われる各種データの送受信を行う。
【００７９】
また、例えば、制御部４３０は、コンテンツの試し読み要求をコンテンツサーバ２００に送信する制御を行う。この場合に、制御部４３０は、その試し読み要求に係るコンテンツ（利用制限が付されているコンテンツ）と、これに関連する付随情報（利用制限が付されている付随情報）とをコンテンツサーバ２００から取得する制御を行う。そして、制御部４３０は、その取得されたコンテンツと、その取得された付随情報とを利用制限の範囲内で使用する制御を行う。例えば、図１８乃至図２０に示すように、利用制限の範囲内で各情報が表示される。
【００８０】
操作受付部４４０は、ユーザにより操作された操作入力を受け付ける操作受付部であり、受け付けられた操作入力に応じた信号を制御部４３０に出力する。操作受付部４４０は、例えば、数字キーやアルファベットキー等の各種キーを備える。
【００８１】
表示部４５０は、制御部４３０の制御に基づいて、各種情報（文字情報や時刻情報等）を表示する表示部である。表示部４５０は、例えば、コンテンツの取得に関する各情報（例えば、図１０、図１１に示す表示画面）を表示する。なお、表示部４５０として、例えば、有機ＥＬ（Electro Luminescence）パネル、ＬＣＤ（Liquid Crystal Display）パネル等の表示パネルを用いることができる。なお、操作受付部４４０および表示部４５０については、使用者がその指を表示面に接触または近接することにより操作入力を行うことが可能なタッチパネルを用いて一体で構成することができる。
【００８２】
記憶部４６０は、各種情報（例えば、コンテンツおよびそのライセンス鍵）を記憶するメモリである。記憶部４６０として、例えば、コンテンツを記憶するための専用メモリを用いるようにしてもよい。
【００８３】
［使用制限が付されているコンテンツの取得例］
図８は、本技術の第１の実施の形態における無線通信装置４００を用いてコンテンツ（使用制限が付されているコンテンツ）を取得する場合における取得の遷移例を簡略化して示す図である。
【００８４】
図８では、雑誌等の本が並べられて配置されている書店内において、無線通信装置４００のユーザ２０が、興味のある本５００を実際に見てから、本５００の電子書籍コンテンツを取得する例を示す。
【００８５】
図８のａには、ユーザ２０が、興味のある本５００を手に取った状態を示す。
【００８６】
ここで、図８のａに示すように、雑誌等の本が並べられて配置されている本棚には、本のコンテンツを取得する際に用いられるタッチポイント（内部に▼が付されている矩形で示す）が、対応する本の設置部分の下側に配置されている。例えば、本５００の設置部分の下側には、本５００の電子書籍コンテンツを取得する際に用いられるタッチポイント２５０が配置されている。
【００８７】
なお、タッチポイントについては、図８に示すように、１種類の本毎に配置するようにしてもよく、複数種類の本について１つのタッチポイントを配置するようにしてもよい。このように、複数種類の本について１つのタッチポイントを配置する場合には、例えば、カテゴリー毎の本棚（例えば、文庫の本棚）毎に１つ設けることができる。また、この場合には、複数種類の本の中から所望の本を選択するための操作部を本棚またはその周辺に設置するようにする。または、ユーザが所有する無線通信装置を用いて所望の本を選択するための選択操作を行い、この選択操作に係る選択情報を試し読み要求（図１４に示す）に含めてコンテンツサーバ２００に送信するようにしてもよい。
【００８８】
図８のｂには、手に取った本５００をユーザ２０が立ち読みしている状態を示す。このように、ユーザは、本屋に行き、興味のある本５００の内容を紙媒体により確認することができる。
【００８９】
図８のｃには、立ち読みした本５００のコンテンツを取得するために、ユーザ２０が無線通信装置４００をタッチポイント２５０に近接させている状態を示す。このように、無線通信装置４００をタッチポイント２５０に近接させることにより、立ち読みした本５００のコンテンツを無線通信装置４００に容易にダウンロードすることができる。すなわち、ユーザは、本屋で立ち読みして気に入った本５００を電子媒体（電子書籍コンテンツ）により取得することができる。この取得時におけるデータの流れについては、図９に示す。
【００９０】
図９は、本技術の第１の実施の形態における無線通信装置４００を用いてコンテンツ（使用制限が付されているコンテンツ）を取得する場合における取得時のデータの流れを簡略化して示す図である。
【００９１】
図９には、書店１０内に設置されているコンテンツサーバ２００から無線通信装置４００に、コンテンツ５１０およびその試し読み鍵（第１試し読み鍵５１１）が送信されている状態を示す。なお、コンテンツ５１０は、図８に示す本５００の電子書籍コンテンツである。また、図９では、コンテンツ５１０および第１試し読み鍵５１１を矩形により模式的に示す。
【００９２】
上述したように、ユーザ２０が、無線通信装置４００をタッチポイント２５０にタッチすると、無線通信装置４００は、試し読み要求をコンテンツサーバ２００に送信する。この場合には、タッチされたタッチポイント２５０の設置場所に応じた試し読み要求が送信される。
【００９３】
試し読み要求を受信すると、コンテンツサーバ２００は、受信した試し読み要求に係るコンテンツおよびその試し読み鍵を、無線通信装置４００に送信する。例えば、図９に示すように、コンテンツ５１０および第１試し読み鍵５１１が無線通信装置４００に送信される。
【００９４】
このように送信されたコンテンツおよびその試し読み鍵は、無線通信装置４００の記憶部４６０に記録される。そして、記憶部４６０に記憶されたコンテンツがその試し読み鍵を用いて表示される。この表示例を図１０に示す。
【００９５】
［使用制限が付されているコンテンツ取得時の表示例］
図１０は、本技術の第１の実施の形態における表示部４５０に表示される表示画面の一例（表示画面５２０）を示す図である。
【００９６】
表示画面５２０は、図９に示すように、コンテンツ５１０および第１試し読み鍵５１１がダウンロードされた直後に表示される表示画面であり、ダウンロードされたコンテンツに対応する画像（例えば、「ぺん太の大冒険」の表紙）が表示される。また、表示画面５２０には、メッセージ表示領域５２１と、この書籍の一部を読むボタン５２２と、ライセンス鍵を取得ボタン５２３と、この書籍を削除ボタン５２４とが設けられている。
【００９７】
メッセージ表示領域５２１には、無線通信装置４００をタッチさせたタッチポイント２５０に対応するコンテンツをダウンロードした旨やその一部を無料で読むことができる旨等が表示される。
【００９８】
この書籍の一部を読むボタン５２２は、ダウンロードしたコンテンツの一部を読む場合に押下されるボタンである。例えば、この書籍の一部を読むボタン５２２が押下された場合には、ダウンロードしたコンテンツの一部が、同時にダウンロードした試し読み鍵を用いて復号されて表示される。これにより、ユーザは、ダウンロードした電子書籍の一部を無料で試読することができる。
【００９９】
ライセンス鍵を取得ボタン５２３は、ダウンロードしたコンテンツの全部を読む場合に押下されるボタンである。例えば、ライセンス鍵を取得ボタン５２３が押下された場合には、ライセンス鍵を取得するための購入要求が、ライセンスサーバ３００に送信される。また、ライセンス鍵を取得ボタン５２３が押下された後における表示例を図１１に示す。例えば、ユーザは、ダウンロードした電子書籍の一部を無料で試読して、その電子書籍が気に入った場合には、ライセンス鍵を取得ボタン５２３を押下することにより、その電子書籍の購入手続きに容易に進むことができる。
【０１００】
この書籍を削除ボタン５２４は、ダウンロードしたコンテンツを削除する場合に押下されるボタンである。例えば、この書籍を削除ボタン５２４が押下された場合には、記憶部４６０に記憶されているコンテンツが削除される。
【０１０１】
［ライセンス鍵の取得に用いる操作画面の表示例］
図１１は、本技術の第１の実施の形態における表示部４５０に表示される表示画面の一例（表示画面５３０）を示す図である。
【０１０２】
表示画面５３０は、図１０に示すライセンス鍵を取得ボタン５２３が押下された直後に表示される表示画面である。また、表示画面５３０には、取引パスワード入力領域５３１と、購入ボタン５３２と、戻るボタン５３３とが設けられている。
【０１０３】
取引パスワード入力領域５３１は、ライセンス鍵の購入に係る取引を行う際に用いられるパスワードを入力するための領域である。例えば、無線通信装置４００において予め設定されているパスワードが用いられる。なお、ユーザ設定によりパスワードの入力を省略するようにしてもよい。
【０１０４】
購入ボタン５３２は、ライセンス鍵の購入を確定する際に押下されるボタンである。例えば、取引パスワード入力領域５３１にパスワードが入力された後に、購入ボタン５３２を押下する。なお、購入ボタン５３２の押下後のライセンス鍵取得時のデータの流れを図１２に示す。
【０１０５】
戻るボタン５３３は、直前の画面に戻るためのボタンである。
【０１０６】
［ライセンス鍵の取得例］
図１２は、本技術の第１の実施の形態における無線通信装置４００を用いてライセンス鍵を取得する場合における取得時のデータの流れを簡略化して示す図である。
【０１０７】
図１２には、ライセンスサーバ３００から無線通信装置４００に、第１ライセンス鍵５４０（図９に示すコンテンツ５１０のライセンス鍵）が送信されている状態を示す。なお、コンテンツ５１０は、図８に示す本５００の電子書籍コンテンツである。また、図１２では、図９と同様に、第１ライセンス鍵５４０を矩形により模式的に示す。
【０１０８】
例えば、ユーザ２０が、図１１に示す取引パスワード入力領域５３１にパスワードを入力した後に、購入ボタン５３２を押下すると、無線通信装置４００は、購入要求をライセンスサーバ３００に送信する。この場合には、図１１に示す表示画面５３０に応じた購入要求（すなわち、図９に示すコンテンツ５１０のライセンス鍵の購入要求）が送信される。
【０１０９】
購入要求を受信すると、ライセンスサーバ３００は、受信した購入要求に基づいて認証処理を行い、その購入要求に対応するライセンス鍵（第１ライセンス鍵５４０）を、無線通信装置４００に送信する。ここで、認証処理では、通常の商品の購入手続きと同様に、電子書籍の代金を支払うための各処理が行われる。このように、ライセンス鍵を取得するための購入手続きについては、通常の商品の購入手続きと同様とすることができる。
【０１１０】
このように送信された第１ライセンス鍵５４０は、無線通信装置４００の記憶部４６０に記録される。そして、第１ライセンス鍵５４０を用いて、記憶部４６０に記憶されたコンテンツ５１０の全部を表示することが可能となる。第１ライセンス鍵５４０の取得時における表示例を図１３に示す。
【０１１１】
［ライセンス鍵取得時の表示例］
図１３は、本技術の第１の実施の形態における表示部４５０に表示される表示画面の一例（表示画面５５０）を示す図である。
【０１１２】
表示画面５５０は、図１１に示す購入ボタン５３２の押下によりライセンス鍵が取得された後に表示される表示画面である。また、表示画面５５０には、メッセージ表示領域５５１と、この書籍を読むボタン５５２と、書籍一覧へボタン５５３とが設けられている。
【０１１３】
メッセージ表示領域５５１には、ライセンス鍵を取得した旨等が表示される。
【０１１４】
この書籍を読むボタン５５２は、ダウンロードしたコンテンツを読む場合に押下されるボタンである。例えば、この書籍を読むボタン５５２が押下された場合には、ダウンロードしたコンテンツが、購入操作により取得されたライセンス鍵を用いて復号されて表示される。
【０１１５】
書籍一覧へボタン５５３は、記憶部４６０に記憶されているコンテンツを一覧表示するための表示画面に遷移する場合に押下されるボタンである。
【０１１６】
［コンテンツ取得時における通信例］
図１４は、本技術の第１の実施の形態における情報処理システム１００を構成する各装置間における通信処理例を示すシーケンスチャートである。図１４では、ユーザが無線通信装置４００を用いてコンテンツおよびライセンス鍵を取得する例を示す。また、この例では、１つの本について１つのタッチポイントが設置されている場合を想定して説明する。なお、無線通信装置４００およびコンテンツサーバ２００は、タッチポイント２５０を介して接続されるが、説明の容易のため、図１４では、タッチポイント２５０の図示を省略する。
【０１１７】
なお、無線通信装置４００は、３Ｇネットワークを利用した無線通信や無線ＬＡＮ（Local Area Network）（例えば、Ｗｉ−Ｆｉ）を利用した無線通信によりライセンスサーバ３００に接続するものとする。また、無線通信装置４００は、近距離無線通信（例えば、ＴｒａｎｓｆｅｒＪｅｔ）を利用してライセンスサーバ３００に接続するようにしてもよい。
【０１１８】
最初に、立ち読みした本のコンテンツを取得するために、ユーザが無線通信装置４００をタッチポイントに近接させる。例えば、図８のｃに示すように、立ち読みした本５００のコンテンツ５１０を取得するために、ユーザ２０が無線通信装置４００をタッチポイント２５０に近接させる。
【０１１９】
このように、無線通信装置４００およびタッチポイント２５０を近接させることにより、無線通信装置４００およびタッチポイント２５０間における近距離無線通信が可能となる。このように、無線通信装置４００およびタッチポイント２５０間における近距離無線通信が可能となった場合には、無線通信装置４００の制御部４３０は、試し読み要求をタッチポイント２５０を介してコンテンツサーバ２００に送信する（７０１、７０２）。この場合には、コンテンツサーバ２００の制御部２４０は、試し読み要求を受信したタッチポイント２５０に応じて、その試し読み要求に係るコンテンツを選択することができる。なお、複数の本について１つのタッチポイントが設置されている場合には、ユーザにより選択されたコンテンツを識別するための選択情報が試し読み要求にとともに、コンテンツサーバ２００に送信される。その選択情報により、コンテンツサーバ２００の制御部２４０は、その試し読み要求に係るコンテンツを選択することができる。
【０１２０】
試し読み要求を受信した場合には（７０２）、コンテンツサーバ２００の制御部２４０は、受信した試し読み要求に係るコンテンツおよびその試し読み鍵を、タッチポイント２５０を介して無線通信装置４００に送信する（７０３、７０４）。例えば、図９に示すように、コンテンツ５１０およびその試し読み鍵（第１試し読み鍵５１１）が無線通信装置４００にダウンロードされる（７０３、７０４）。
【０１２１】
続いて、無線通信装置４００の制御部４３０は、受信したコンテンツおよびその試し読み鍵を記憶部４６０に記録させる（７０５）。続いて、無線通信装置４００の制御部４３０は、コンテンツおよびその試し読み鍵のダウンロードが完了した旨を通知するための完了通知をタッチポイントを介してコンテンツサーバ２００に送信する（７０６、７０７）。
【０１２２】
続いて、無線通信装置４００の制御部４３０は、記憶部４６０に新たに記録されたコンテンツの一部を、その試し読み鍵を用いて表示部４５０に表示させる（７０８）。例えば、図１０に示す表示画面５２０が表示される。
【０１２３】
次に、立ち読みした本のコンテンツのライセンス鍵を取得するために、ユーザが無線通信装置４００において購入操作を行う例を示す。
【０１２４】
最初に、記憶部４６０に新たに記録されたコンテンツの全部を表示するためのライセンス鍵を取得するための操作（購入操作）が行われる（７０９）。すなわち、ダウンロードされたコンテンツを購入するための操作（購入操作）が行われる（７０９）。例えば、図１０に示す表示画面５２０において、ライセンス鍵を取得ボタン５２３が押下されると、図１１に示す表示画面５３０が表示される。続いて、表示画面５３０における取引パスワード入力領域５３１にパスワードが入力された後に、購入ボタン５３２が押下される。
【０１２５】
購入操作が行われた場合には（７０９）、無線通信装置４００の制御部４３０は、ライセンス鍵を購入するための購入要求を、ライセンスサーバ３００に送信する（７１０、７１１）。例えば、３Ｇネットワークを利用して購入要求がライセンスサーバ３００に送信される（７１０、７１１）。また、この購入要求には、コンテンツを識別するためのコンテンツ識別情報が含まれる。
【０１２６】
購入要求を受信した場合には（７１１）、ライセンスサーバ３００の制御部３４０は、受信した購入要求について認証処理を行う（７１２）。この認証処理では、上述したように、電子書籍の代金を支払うための各処理が行われる。そして、認証に失敗した場合（例えば、電子書籍の代金を支払うことができなかった場合）には、無線通信装置４００にエラーが送信される。
【０１２７】
また、認証に成功した場合には（７１２）、ライセンスサーバ３００の制御部３４０は、購入要求に含まれるコンテンツ識別情報に関連付けてライセンス鍵管理データベース３２０に格納されているライセンス鍵を抽出する。そして、ライセンスサーバ３００の制御部３４０は、抽出されたライセンス鍵（購入要求に係るコンテンツのライセンス鍵）を無線通信装置４００に送信する（７１３、７１４）。例えば、購入要求にコンテンツ識別情報「Ｃ００１」が含まれる場合には、図１２に示すように、３Ｇネットワークを利用して第１ライセンス鍵５４０が無線通信装置４００に送信される（７１３、７１４）。なお、購入要求を送信した無線通信装置がドメイン登録されている場合には、そのドメイン情報が、ライセンス鍵管理データベース３２０のドメイン情報３２４に記録される。
【０１２８】
続いて、無線通信装置４００の制御部４３０は、受信したライセンス鍵を記憶部４６０に記録させる（７１５）。続いて、無線通信装置４００の制御部４３０は、ライセンス鍵のダウンロードが完了した旨を通知するための完了通知をライセンスサーバ３００に送信する（７１６、７１７）。例えば、３Ｇネットワークを利用して完了通知がライセンスサーバ３００に送信される（７１６、７１７）。
【０１２９】
続いて、無線通信装置４００の制御部４３０は、記憶部４６０に記録されているコンテンツの全部を、そのライセンス鍵を用いて表示部４５０に表示させる（７１８）。例えば、図１３に示す表示画面５５０が表示される。
【０１３０】
［コンテンツサーバの動作例］
図１５は、本技術の第１の実施の形態におけるコンテンツサーバ２００によるコンテンツ送信処理の処理手順の一例を示すフローチャートである。
【０１３１】
最初に、制御部２４０は、試し読み要求をタッチポイントを介して受信したか否を判断し（ステップＳ９０１）、試し読み要求を受信していない場合には、監視を継続して行う。一方、試し読み要求を受信した場合には（ステップＳ９０１）、制御部２４０は、その試し読み要求に係るコンテンツおよびその試し読み鍵を、そのタッチポイントを介して無線通信装置に送信する（ステップＳ９０２）。
【０１３２】
続いて、制御部２４０は、コンテンツおよびその試し読み鍵のダウンロードが完了した旨の完了通知をタッチポイントを介して受信したか否かを判断し（ステップＳ９０３）、完了通知を受信していない場合には、監視を継続して行う。一方、完了通知を受信した場合には（ステップＳ９０３）、コンテンツ送信処理の動作を終了する。
【０１３３】
［無線通信装置の動作例］
図１６は、本技術の第１の実施の形態における無線通信装置４００によるコンテンツ取得処理の処理手順の一例を示すフローチャートである。この処理手順では、試し読み鍵を用いてコンテンツの一部が表示された後に購入操作が行われない場合には、そのコンテンツおよびその試し読み鍵を消去する例を示す。
【０１３４】
最初に、制御部４３０は、近距離無線通信の範囲内にタッチポイントが存在するか否かを判断し（ステップＳ９１１）、近距離無線通信の範囲内にタッチポイントが存在しない場合には、監視を継続して行う。一方、近距離無線通信の範囲内にタッチポイントが存在する場合には（ステップＳ９１１）、制御部４３０は、近距離無線通信を利用して試し読み要求をタッチポイントを介してコンテンツサーバ２００に送信する（ステップＳ９１２）。
【０１３５】
続いて、制御部４３０は、コンテンツおよびその試し読み鍵を受信したか否かを判断し（ステップＳ９１３）、コンテンツおよびその試し読み鍵を受信していない場合には、監視を継続して行う。一方、コンテンツおよびその試し読み鍵を受信した場合には（ステップＳ９１３）、制御部４３０は、受信したコンテンツおよびその試し読み鍵を記憶部４６０に記録させる（ステップＳ９１４）。続いて、制御部４３０は、コンテンツおよびその試し読み鍵のダウンロードが完了した旨を通知するための完了通知をタッチポイントを介してコンテンツサーバ２００に送信する（ステップＳ９１５）。
【０１３６】
続いて、制御部４３０は、記憶部４６０に新たに記録されたコンテンツの一部を、その試し読み鍵を用いて表示部４５０に表示させる（ステップＳ９１６）。
【０１３７】
続いて、制御部４３０は、記憶部４６０に新たに記録されたコンテンツの全部を表示するためのライセンス鍵を取得するための操作（購入操作）が行われたか否かを判断する（ステップＳ９１７）。購入操作が行われた場合には（ステップＳ９１７）、制御部４３０は、ライセンス鍵を購入するための購入要求を、ライセンスサーバ３００に送信する（ステップＳ９１８）。
【０１３８】
続いて、制御部４３０は、ライセンス鍵を受信したか否かを判断し（ステップＳ９１９）、ライセンス鍵を受信していない場合には、監視を継続して行う。一方、ライセンス鍵を受信した場合には（ステップＳ９１９）、制御部４３０は、受信したライセンス鍵を記憶部４６０に記録させる（ステップＳ９２０）。続いて、制御部４３０は、ライセンス鍵のダウンロードが完了した旨を通知するための完了通知をライセンスサーバ３００に送信する（ステップＳ９２１）。
【０１３９】
続いて、制御部４３０は、記憶部４６０に記録されているコンテンツの全部を、そのライセンス鍵を用いて表示部４５０に表示させる（ステップＳ９２２）。
【０１４０】
また、購入操作が行われていない場合には（ステップＳ９１７）、制御部４３０は、記憶部４６０に新たに記録されたコンテンツを削除するための削除操作が行われたか否かを判断する（ステップＳ９２３）。そして、削除操作が行われた場合には（ステップＳ９２３）、ステップＳ９２５に進む。一方、削除操作が行われていない場合には（ステップＳ９２３）、制御部４３０は、記憶部４６０に新たに記録されたコンテンツを表示するための表示画面以外の他の表示画面に遷移したか否かを判断する（ステップＳ９２４）。そして、他の表示画面に遷移していない場合には（ステップＳ９２４）、ステップＳ９１７に戻る。一方、他の表示画面に遷移した場合には（ステップＳ９２４）、制御部４３０は、記憶部４６０に新たに記録されたコンテンツおよびその試し読み鍵を記憶部４６０から消去する（ステップＳ９２５）。
【０１４１】
この例では、試し読み鍵を用いてコンテンツの一部が表示された後に購入操作が行われない場合には、そのコンテンツおよびその試し読み鍵を消去する例を示した。しかしながら、例えば、書店では、コンテンツおよびその試し読み鍵のダウンロードのみを行い、自宅に戻ってからコンテンツの一部を表示して確認したいユーザも想定される。そこで、書店での表示直後には消去せずに、所定時間経過後（例えば、１２時間経過後）に消去するようにしてもよい。また、記憶部４６０の所定サイズを超えた場合に、古いコンテンツから順次削除するようにしてもよい。また、消去のタイミングをユーザ操作により設定可能とするようにしてもよい。
【０１４２】
［付随情報を同時に送信する例］
以上では、試し読み要求に応じてコンテンツおよびその試し読み鍵を同時に無線通信装置に提供する例を示した。すなわち、ユーザが意図したコンテンツのみを無線通信装置に提供する例を示した。
【０１４３】
ここで、例えば、近距離無線通信として、ＴｒａｎｓｆｅｒＪｅｔを用いる場合には、他の近距離無線通信（例えば、無線ＬＡＮやＢｌｕｅｔｏｏｔｈ（登録商標））と比べて通信速度が非常に速い。このため、ユーザが意図したコンテンツ以外の他の情報（例えば、お勧めコンテンツ）を同時に送信しても時間的な負担にはならないと考えられる。そこで、以下では、ユーザが意図したコンテンツ以外の他の情報（付随情報）を同時に送信する例を示す。これにより、ユーザが電子書籍の購入を検討する際に、他の電子書籍や関連する情報を一緒に推薦することができ、ユーザの購買意欲を促進することができる。また、書店にとっては、ユーザに各種情報を提供することができ、販売機会を増加させることができる。
【０１４４】
［使用制限が付されているコンテンツの取得例］
図１７は、本技術の第１の実施の形態における無線通信装置４００を用いてコンテンツ（使用制限が付されているコンテンツ）を取得する場合における取得時のデータの流れを簡略化して示す図である。なお、図１７に示す例は、図９の変形例であり、付随情報５６０を追加した点が異なる。このため、図９と共通する部分については、同一の符号を付してこれらの説明の一部を省略する。
【０１４５】
上述したように、ユーザ２０が、無線通信装置４００をタッチポイント２５０にタッチすると、無線通信装置４００は、試し読み要求をコンテンツサーバ２００に送信する。この場合には、タッチされたタッチポイント２５０の設置場所に応じた試し読み要求が送信される。
【０１４６】
試し読み要求を受信すると、コンテンツサーバ２００は、受信した試し読み要求に係るコンテンツおよびその試し読み鍵とともに付随情報を無線通信装置４００に送信する。例えば、図１７に示すように、コンテンツ５１０と、第１試し読み鍵５１１と、付随情報５６０とが無線通信装置４００に送信される。
【０１４７】
ここで、付随情報は、受信した試し読み要求に係るコンテンツに関連する情報である。例えば、図３に示す付随情報２３４に格納されている情報のうち、試し読み要求に係るコンテンツに関連付けられている情報が付随情報として送信される。
【０１４８】
このように送信されたコンテンツ、その試し読み鍵および付随情報は、無線通信装置４００の記憶部４６０に記録される。そして、記憶部４６０に記憶されたコンテンツがその試し読み鍵を用いて表示される。また、記憶部４６０に記憶された付随情報についても表示される。この表示例を図１８に示す。
【０１４９】
［付随情報取得時の表示例］
図１８は、本技術の第１の実施の形態における表示部４５０に表示される表示画面の一例（表示画面５７０）を示す図である。
【０１５０】
表示画面５７０は、図１７に示すコンテンツ５１０、第１試し読み鍵５１１および付随情報５６０がダウンロードされた直後に表示される表示画面であり、ダウンロードされたコンテンツに対応する画像（例えば、「ぺん太の大冒険」の表紙）が表示される。また、表示画面５７０には、ダウンロードされた付随情報に関する各画像が表示される。
【０１５１】
例えば、付随情報として、試し読み要求に係るコンテンツに関連するコンテンツ（例えば、図１７に示すコンテンツ５６１、５６３）がダウンロードされた場合には、そのコンテンツを表す画像（例えば、コンテンツ画像表示領域５７３、５７４）が表示される。
【０１５２】
表示画面５７０には、メッセージ表示領域５７１と、コンテンツ画像表示領域５７２乃至５７４と、この書籍の一部を読むボタン５７５と、ライセンス鍵を取得ボタン５７６と、この書籍を削除ボタン５７７とが設けられている。
【０１５３】
メッセージ表示領域５７１には、無線通信装置４００をタッチさせたタッチポイント２５０に対応するコンテンツおよび付随情報をダウンロードした旨やその一部を無料で読むことができる旨等が表示される。
【０１５４】
コンテンツ画像表示領域５７２乃至５７４には、ダウンロードしたコンテンツ（付随情報としてダウンロードされたコンテンツを含む）を表す画像を表示するための領域である。例えば、コンテンツ画像表示領域５７２乃至５７４に表示されている画像のうちの１つの画像を選択状態として、各ボタン（５７５乃至５７７）の操作を行うことにより、選択状態とされたコンテンツに関する操作を行うことができる。図１８では、コンテンツ画像表示領域５７２に表示されている画像（試し読み要求に係るコンテンツの画像）が選択状態とされているものとする。
【０１５５】
この書籍の一部を読むボタン５７５、ライセンス鍵を取得ボタン５７６およびこの書籍を削除ボタン５７７は、図１０に示す同一名称の各ボタンに対応するボタンである。ただし、この例では、コンテンツ画像表示領域５７２乃至５７４において、選択状態とされたコンテンツに関する操作を行うことができるものとする。
【０１５６】
なお、付随情報として、ユーザの好みの分析結果に基づいて、ユーザ毎に興味のありそうな情報を選択して付随情報として用いるようにしてもよい。例えば、書店における販売履歴（例えば、会員の販売履歴）を用いてユーザの好みを分析して、この分析結果を用いることができる。
【０１５７】
また、例えば、リコメンドの１つとして、立ち読みした本のバックナンバー、立ち読みした本の年齢・嗜好に合わせた広告（本、イベント、商品等）を付随情報として送信することができる。例えば、立ち読みした本がファッション誌である場合には、そのファッション誌に掲載されているショップのクーポンを付随情報とすることができる。また、例えば、立ち読みした本が小説である場合には、その小説の映画やＴＶドラマの広告を付随情報とすることができる。この表示例を図１９に示す。
【０１５８】
また、立ち読みした本屋の近辺に関連する広告（本屋の近辺に位置するレストラン等）を付随情報とすることができる。この場合には、例えば、時間帯に応じて広告の内容を変更するようにしてもよい。例えば、お昼の時間帯には、ランチクーポンを付随情報とし、夜の時間帯には、ディナーのクーポンを付随情報とすることができる。この表示例を図２０に示す。
【０１５９】
また、アンケート（例えば、紙媒体の本に挟まっているアンケートはがきに該当するもの）を付随情報とすることができる。このアンケートに回答したユーザに対しては、このアンケートに関するサービスを提供するようにしてもよい。
【０１６０】
また、コンテンツおよびその試し読み鍵とともに送信する付随情報として、使用が制限されたもの（例えば、アプリや画像（待ち受け画面））を送信し、そのコンテンツが購入されたことを条件に、その付随情報の使用制限を解除するようにしてもよい。例えば、ライセンス鍵を購入する場合に、ライセンスサーバ３００が、ライセンス鍵とともに、その付随情報の使用を解除するための情報を無線通信装置に送信するようにすることができる。
【０１６１】
例えば、立ち読みした本が、キャンペーン中の本である場合には、その本に関連するアプリを付随情報（使用制限が付された付随情報）とするようにしてもよい。そして、キャンペーン中の本を購入した場合には、そのアプリの使用制限を解除するようにしてもよい。例えば、キャンペーン中の「漫画○○」の本を購入すると、「漫画○○」のゲームアプリや着替アプリをプレゼントすることができる。
【０１６２】
また、立ち読みした本が、健康の本である場合には、健康管理アプリを付随情報（使用制限が付された付随情報）とするようにしてもよい。また、健康の本を購入した場合には、健康管理アプリの使用制限を解除するようにしてもよい。
【０１６３】
また、立ち読みした本が、写真集である場合には、その写真集の一部（例えば、１枚）の画像の待ち受け画面を付随情報とするようにしてもよい。また、写真集を購入した場合には、その写真集の一部（例えば、５枚）の画像の待ち受け画面を使用可能とするようにしてもよい。
【０１６４】
また、立ち読みした本が実用書である場合には、その実用書に関連するアプリを付随情報（使用制限が付された付随情報）とするようにしてもよい。また、その実用書を購入した場合には、そのアプリの使用制限を解除するようにしてもよい。
【０１６５】
例えば、英単語の本を購入した場合には、英単語のＣＤの代わりに英単語アプリを使用可能とするようにしてもよい。また、例えば、建築の本を購入した場合には、間取り作成アプリを使用可能とするようにしてもよい。また、例えば、旅行本を購入した場合には、その旅行本に記載されている地域の地図やお店アプリを使用可能とするようにしてもよい。
【０１６６】
また、例えば、小説や絵本を購入した場合には、朗読の音データを使用可能とするようにしてもよい。また、例えば、アイドル本を購入した場合には、そのアイドルの１曲分の音楽データを使用可能とするようにしてもよい。また、例えば、映画化された本を購入した場合には、その映画の割引券を使用可能とするようにしてもよい。
【０１６７】
また、ユーザの状態に応じて付随情報を変更するようにしてもよい。例えば、ユーザが、どこの本屋でダウンロードをしたか（Ｗｈｅｒｅ）、ユーザは誰か（Ｗｈｏ）、いつダウンロードをしたか（Ｗｈｅｎ）、何をダウンロードしたか（Ｗｈａｔ）等に応じて、付随情報を変更するようにしてもよい。例えば、コンテンツサーバ２００の制御部２４０は、試し読み要求を送信した無線通信装置の場所に応じて付随情報（例えば、近隣の飲食店に関するクーポン）を決定することができる。また、制御部２４０は、無線通信装置のユーザ（例えば、その属性（例えば、性別、年齢））に応じて付随情報（例えば、２０代の女性にはファッション誌のクーポン）を決定することができる。また、制御部２４０は、試し読み要求を送信した日時（例えば、時間帯、季節）に応じて付随情報（例えば、冬には暖房器具のクーポン）を決定することができる。また、制御部２４０は、試し読み要求に係るコンテンツの内容（例えば、小説、ファッション誌）に応じて付随情報（例えば、同一の小説家の本）を決定することができる。また、これらの組合せにより付随情報（例えば、冬、２０代の男性の場合には、スキー場のクーポン）を決定するようにしてもよい。
【０１６８】
このように、制御部２４０は、試し読み要求を送信した無線通信装置の場所と、無線通信装置のユーザと、試し読み要求を送信した日時と、試し読み要求に係るコンテンツの内容との少なくとも１つに基づいて、付随情報を決定することができる。
【０１６９】
［付随情報取得時の表示例］
図１９および図２０は、本技術の第１の実施の形態における表示部４５０に表示される表示画面の一例（表示画面５８０、５９０）を示す図である。
【０１７０】
表示画面５８０、５９０は、図１８に示す表示画面５７０の一部を変形したものであり、メッセージ表示領域５８１、５９１の内容を変更し、コンテンツ画像表示領域５７２乃至５７４の代わりに、付随情報表示領域５８２、５９２を設けたものである。なお、これらの以外の点については、図１８に示す例と同様である。
【０１７１】
図１９では、ダウンロードした「ぺん太の大冒険」の広告を付随情報とする例を示す。例えば、「ぺん太の大冒険」が映画化されている場合には、図１９に示すように、映画の割引券を付随情報とすることができる。
【０１７２】
図２０では、コンテンツをダウンロードした本屋の近辺に関連する広告を付随情報とする例を示す。例えば、お昼の時間帯にコンテンツをダウンロードした場合には、図２０に示すように、ランチクーポンを付随情報とすることができる。
【０１７３】
［タッチポイントが試し読み要求を送信する例］
以上では、無線通信装置が試し読み要求を送信する例を示した。ここで、例えば、無線通信装置との間で近距離無線通信を行うタッチポイントがコンテンツサーバに試し読み要求を送信するようにしてもよい。そこで、図２１では、タッチポイントがコンテンツサーバに試し読み要求を送信する例を示す。
【０１７４】
［コンテンツ取得時における通信例］
図２１は、本技術の第１の実施の形態における情報処理システム１００を構成する各装置間における通信処理例を示すシーケンスチャートである。図２１では、タッチポイント２５０がコンテンツサーバ２００に試し読み要求を送信する例を示す。また、この例では、１つの本について１つのタッチポイントが設置されている場合を想定して説明する。なお、完了通知の送受信（７３０乃至７３３）後の各処理については、図１４に示す各処理（７０８乃至７１８）と同様であるため、ここでの図示およびその説明を省略する。また、図２１では、コンテンツおよびその試し読み鍵とともに付随情報を送信する例を示す。
【０１７５】
最初に、立ち読みした本のコンテンツを取得するために、ユーザが無線通信装置４００をタッチポイント２５０に近接させる。例えば、図８のｃに示すように、立ち読みした本５００のコンテンツ５１０を取得するために、ユーザ２０が無線通信装置４００をタッチポイント２５０に近接させる。
【０１７６】
このように、無線通信装置４００およびタッチポイント２５０を近接させることにより、無線通信装置４００およびタッチポイント２５０間における近距離無線通信が開始される（７２１、７２２）。このように、無線通信装置４００およびタッチポイント２５０間における近距離無線通信が開始された場合には、タッチポイント２５０は、試し読み要求をコンテンツサーバ２００に送信する（７２３、７２４）。この場合には、コンテンツサーバ２００の制御部２４０は、試し読み要求を送信したタッチポイント２５０に応じて、その試し読み要求に係るコンテンツを選択することができる。なお、複数の本について１つのタッチポイントが設置されている場合には、ユーザにより選択されたコンテンツを識別するための選択情報をタッチポイント２５０が受け付け、その選択情報を試し読み要求に含めてコンテンツサーバ２００に送信する。その選択情報により、コンテンツサーバ２００の制御部２４０は、その試し読み要求に係るコンテンツを選択することができる。
【０１７７】
試し読み要求を受信した場合には（７２４）、コンテンツサーバ２００の制御部２４０は、受信した試し読み要求に係るコンテンツとその試し読み鍵と付随情報とを、タッチポイント２５０を介して無線通信装置４００に送信する（７２５乃至７２８）。例えば、図１７に示すように、コンテンツ５１０とその試し読み鍵（第１試し読み鍵５１１）と付随情報５６０とが無線通信装置４００にダウンロードされる（７２５乃至７２８）。
【０１７８】
続いて、無線通信装置４００の制御部４３０は、受信したコンテンツとその試し読み鍵と付随情報とを記憶部４６０に記録させる（７２９）。続いて、無線通信装置４００の制御部４３０は、コンテンツとその試し読み鍵と付随情報とのダウンロードが完了した旨を通知するための完了通知をタッチポイント２５０を介してコンテンツサーバ２００に送信する（７３０乃至７３３）。
【０１７９】
このように、コンテンツサーバ２００の通信部２１０は、無線通信装置４００により行われる近距離無線通信に応じて生じるコンテンツの取得要求を受け付ける。また、コンテンツサーバ２００の制御部２４０は、その受け付けられた取得要求に係るコンテンツ（利用制限が付されているコンテンツ）と、これに関連する付随情報とを無線通信装置４００に送信する制御を行う。また、その取得要求は、無線通信装置４００とタッチポイント２５０との間で近距離無線通信が開始されたタイミングに応じて、無線通信装置４００およびタッチポイント２５０のうちの何れか一方から出力される。
【０１８０】
［タッチポイントがコンテンツサーバの機能を備える例］
以上では、タッチポイントを介してコンテンツサーバが無線通信装置にコンテンツを送信する例を示した。ここで、例えば、限定数の書籍のみを電子書籍コンテンツとして提供するような場合には、コンテンツサーバの機能をタッチポイントに設け、簡易的な電子書籍配信システムとすることも考えられる。そこで、図２２では、タッチポイントがコンテンツサーバの機能を備える例を示す。
【０１８１】
［コンテンツ取得時における通信例］
図２２は、本技術の第１の実施の形態における情報処理システム１００を構成する各装置間における通信処理例を示すシーケンスチャートである。図２２では、タッチポイント２５１がコンテンツサーバ２００の機能を備え、コンテンツサーバ２００を省略する例を示す。また、この例では、１つの本について１つのタッチポイントが設置されている場合を想定して説明する。なお、完了通知の送受信（７４６、７４７）後の各処理については、図１４に示す各処理（７０８乃至７１８）と同様であるため、ここでの図示およびその説明を省略する。また、図２２では、コンテンツおよびその試し読み鍵とともに付随情報を送信する例を示す。
【０１８２】
ここで、タッチポイント２５１は、図２に示すコンテンツサーバ２００の一部を変形したものであり、通信部２１０の代わりに、近距離無線通信部を設けたものである。なお、この点以外については、図２に示すコンテンツサーバ２００と略同様であるため、ここでの図示およびその説明を省略する。
【０１８３】
最初に、立ち読みした本のコンテンツを取得するために、ユーザが無線通信装置４００をタッチポイント２５１に近接させる。例えば、図８のｃに示すように、立ち読みした本５００のコンテンツ５１０を取得するために、ユーザ２０が無線通信装置４００をタッチポイント２５１に近接させる。
【０１８４】
このように、無線通信装置４００およびタッチポイント２５１を近接させることにより、無線通信装置４００およびタッチポイント２５１間における近距離無線通信が開始される（７４１、７４２）。このように、近距離無線通信が開始された場合には、その近距離無線通信が開始されたタイミングに応じて生じる試し読み要求がタッチポイント２５１の近距離無線通信部により受け付けられる。そして、タッチポイント２５１の制御部（コンテンツサーバ２００の制御部２４０に相当）は、予め設定されているコンテンツとその試し読み鍵と付随情報とを無線通信装置４００に送信する（７４３、７４４）。なお、複数の本について１つのタッチポイントが設置されている場合には、ユーザにより選択されたコンテンツを識別するための選択情報に基づいて、コンテンツとその試し読み鍵と付随情報とが決定されて送信される。
【０１８５】
続いて、無線通信装置４００の制御部４３０は、受信したコンテンツとその試し読み鍵と付随情報とを記憶部４６０に記録させる（７４５）。続いて、無線通信装置４００の制御部４３０は、コンテンツとその試し読み鍵と付随情報とのダウンロードが完了した旨を通知するための完了通知をタッチポイント２５１に送信する（７４６、７４７）。
【０１８６】
このように、タッチポイント２５１の近距離無線通信部は、無線通信装置４００により行われる近距離無線通信に応じて生じるコンテンツの取得要求を受け付ける。また、タッチポイント２５１の制御部（コンテンツサーバ２００の制御部２４０に相当）は、その受け付けられた取得要求に係るコンテンツ（利用制限が付されているコンテンツ）と、これに関連する付随情報とを無線通信装置４００に送信する制御を行う。また、その取得要求は、無線通信装置４００との間で近距離無線通信が開始されたタイミングに応じて受け付けられる。
【０１８７】
このように、本技術の第１の実施の形態によれば、近接または接触させて使用する近接無線通信技術を用いる電子データ配信システムを利用して、ユーザが所望するコンテンツを容易に取得することができる。この場合に、無料でコンテンツの一部を見ることができるため、そのコンテンツを実際に購入するか否かを、コンテンツの一部の表示により容易に確認することができる。
【０１８８】
また、ユーザが所望するコンテンツに関連するコンテンツについても同時に取得することができる。また、これらのコンテンツについても無料でその一部を見ることができるため、そのコンテンツを実際に購入するか否かを、コンテンツの一部の表示により容易に確認することができる。
【０１８９】
また、ユーザがコンテンツをダウンロードする毎に、適切な付随情報をユーザに提供することができる。すなわち、コンテンツおよびこれに関連する付随情報を適切に提供することができる。
【０１９０】
このように、本技術の第１の実施の形態では、電子書籍配信システムに近距離無線を組み合わせることにより、ユーザの利便性を向上させるとともに、書店の集客力も向上させることができ、双方の利便性をさらに向上させることができる。
【０１９１】
＜２．第２の実施の形態＞
本技術の第１の実施の形態では、試し読み要求に係るコンテンツおよびその試し読み鍵とともに付随情報を無線通信装置に提供する例を示した。しかしながら、ユーザによっては、無線通信装置のメモリに意図しない情報を大量に記憶することを好まないユーザも存在することが想定される。
【０１９２】
そこで、本技術の第２の実施の形態では、ユーザにより設定された容量だけ付随情報を無線通信装置に提供する例を示す。なお、本技術の第２の実施の形態における情報処理システムの構成については、図１、図２等に示す例と略同様である。このため、本技術の第１の実施の形態と共通する部分については、同一の符号を付して、これらの説明の一部を省略する。
【０１９３】
［記憶部の一例］
図２３は、本技術の第２の実施の形態における記憶部４６０のメモリ容量の一例を模式的に示す図である。
【０１９４】
図２３では、付随情報を記憶させるための専用領域（付随情報専用領域）を記憶部４６０に設ける例を示す。また、Ｍ１は、記憶部４６０の全メモリ容量を表し、Ｍ２は、記憶部４６０における付随情報専用領域のメモリ容量を表すものとする。
【０１９５】
ここで、記憶部４６０における付随情報専用領域は、ユーザ操作により増減をすることが可能であるものとする。図２３のａには、記憶部４６０における付随情報専用領域を減少させた状態を示し、図２３のｂには、記憶部４６０における付随情報専用領域を増加させた状態を示す。
【０１９６】
また、記憶部４６０における付随情報専用領域に書き込まれるデータは、上書きのみを行う旨の設定をユーザ操作により行うことができるものとする。
【０１９７】
［コンテンツサーバの動作例］
図２４は、本技術の第２の実施の形態におけるコンテンツサーバ２００によるコンテンツ送信処理の処理手順の一例を示すフローチャートである。
【０１９８】
最初に、制御部２４０は、試し読み要求をタッチポイントを介して受信したか否を判断し（ステップＳ９３１）、試し読み要求を受信していない場合には、監視を継続して行う。一方、試し読み要求を受信した場合には（ステップＳ９３１）、制御部２４０は、その試し読み要求に係るコンテンツおよびその試し読み鍵とともに、送信する付随情報を決定する（ステップＳ９３２）。例えば、図３に示す付随情報２３４に格納されている情報（その試し読み要求に係るコンテンツに関連付けられている情報）のうちから決定される。この例では、図３に示す付随情報２３４のお勧めコンテンツ識別情報に、コンテンツ識別情報が格納されているコンテンツおよびその試し読み鍵を付随情報として決定するものとする。
【０１９９】
続いて、制御部２４０は、試し読み要求を送信した無線通信装置から、近距離無線通信を利用して、付随情報を記憶するための専用領域（付随情報専用領域）のメモリ容量（例えば、メモリ容量＝ＭＸとする）を取得する（ステップＳ９３３）。例えば、図２３に示す記憶部４６０における付随情報専用領域のメモリ容量Ｍ２が、無線通信装置４００からコンテンツサーバ２００にタッチポイントを介して送信される。
【０２００】
続いて、制御部２４０は、試し読み要求に係るコンテンツおよびその試し読み鍵を、タッチポイントを介して無線通信装置に送信する（ステップＳ９３４）。
【０２０１】
続いて、制御部２４０は、送信対象となる付随情報のデータ量の合計値を算出する（ステップＳ９３５）。例えば、図３に示す付随情報２３４のお勧めコンテンツ識別情報に、コンテンツ識別情報が格納されているコンテンツ（「Ｃ００２」、「Ｃ００３」）およびその試し読み鍵を付随情報とする場合を想定する。この場合における第２コンテンツ（コンテンツ識別情報「Ｃ００２」）およびその試し読み鍵のデータサイズをＢＸとし、第３コンテンツ（コンテンツ識別情報「Ｃ００３」）およびその試し読み鍵のデータサイズをＣＸとする。この場合には、送信対象となる付随情報のデータ量の合計値として「ＢＸ＋ＣＸ」が算出される（ステップＳ９３５）。
【０２０２】
続いて、制御部２４０は、取得されたメモリ容量（ＭＸ）と、送信対象となる付随情報のデータ量の合計値（ＢＸ＋ＣＸ）とを比較して、メモリ容量（ＭＸ）が合計値（ＢＸ＋ＣＸ）よりも大きいか否かを判断する（ステップＳ９３６）。そして、メモリ容量（ＭＸ）が合計値（ＢＸ＋ＣＸ）未満である場合には（ステップＳ９３６）、制御部２４０は、送信対象となる付随情報のうちの一部を削除する（ステップＳ９３７）。例えば、送信対象となる付随情報が、第２コンテンツ（コンテンツ識別情報「Ｃ００２」）およびその試し読み鍵と、第３コンテンツ（コンテンツ識別情報「Ｃ００３」）およびその試し読み鍵とである場合には、何れか一方が削除される。例えば、予め決定されている順序に従って上位から削除するようにしてもよく、データサイズが大きいコンテンツから削除するようにしてもよい。
【０２０３】
続いて、制御部２４０は、送信対象の付随情報が存在するか否かを判断し（ステップＳ９３８）、送信対象の付随情報が存在しない場合には、ステップＳ９４０に進む。例えば、付随情報の削除により送信対象の付随情報の全てが削除された場合には、ステップＳ９４０に進む。一方、送信対象の付随情報が存在する場合には（ステップＳ９３８）、ステップＳ９３５に戻り、一部が削除された後の付随情報のデータ量の合計値が算出される（ステップＳ９３５）。
【０２０４】
また、メモリ容量（ＭＸ）が合計値（ＢＸ＋ＣＸ）よりも大きい場合には（ステップＳ９３６）、制御部２４０は、送信対象の付随情報を、タッチポイントを介して無線通信装置に送信する（ステップＳ９３９）。
【０２０５】
続いて、制御部２４０は、コンテンツおよびその試し読み鍵のダウンロードが完了した旨の完了通知をタッチポイントを介して受信したか否かを判断し（ステップＳ９４０）、完了通知を受信していない場合には、監視を継続して行う。一方、完了通知を受信した場合には（ステップＳ９４０）、コンテンツ送信処理の動作を終了する。なお、ステップＳ９３１は、特許請求の範囲に記載の受付手順の一例である。また、ステップＳ９３２乃至Ｓ９３９は、特許請求の範囲に記載の制御手順の一例である。
【０２０６】
このように、コンテンツサーバ２００の制御部２４０は、付随情報を無線通信装置に送信して、この無線通信装置に設定されている専用メモリに付随情報を記憶させる制御を行う。この場合に、コンテンツサーバ２００の制御部２４０は、専用メモリの許容量に応じた付随情報のみを、その無線通信装置に送信する制御を行う。
【０２０７】
このように、本技術の第２の実施の形態によれば、付随情報を記憶するための専用領域（付随情報専用領域）のメモリ容量に応じた付随情報のみを、無線通信装置に提供することができる。これにより、ユーザは、自分の無線通信装置（例えば、スマートフォン）のメモリ領域を、意思に反する大容量の付随情報のために使われてしまうことを防止することができる。
【０２０８】
また、記憶部４６０における付随情報専用領域に書き込まれるデータについては、上書きのみを行う旨の設定を行うことにより、例えば、付随情報がユーザにとって不要なデータであっても、削除操作等をその都度行う必要がない。
【０２０９】
なお、例えば、付随情報を記憶するための専用領域（付随情報専用領域）のメモリ容量が閾値以上に設定されている無線通信装置については、値引き券（例えば、関連グッズの値引き券）やクーポン等のサービスに係る情報を追加で送信するようにしてもよい。これにより、付随情報を記憶するための専用領域（付随情報専用領域）のメモリ容量を閾値以上に設定しているユーザに対して、それに対する適切なサービスを提供することができる。また、ユーザは、付随情報を記憶するための専用領域（付随情報専用領域）のメモリ容量を閾値以上に設定しておくことにより、通常のサービス以上のサービスを適切に受けることができる。
【０２１０】
＜３．第３の実施の形態＞
本技術の第１および第２の実施の形態では、試し読み要求に係るコンテンツおよびその試し読み鍵をダウンロードした無線通信装置がそのコンテンツを表示する例を示した。しかしながら、１人の人物が複数の無線通信装置を所有している場合には、これらの何れかを用いて各コンテンツを表示することも想定される。
【０２１１】
そこで、本技術の第３の実施の形態では、複数の無線通信装置によりコンテンツを共有する例を示す。なお、本技術の第３の実施の形態における情報処理システムの構成については、図１、図２等に示す例と略同様である。このため、本技術の第１の実施の形態と共通する部分については、同一の符号を付して、これらの説明の一部を省略する。
【０２１２】
［コンテンツのコピー例］
図２５は、本技術の第３の実施の形態における無線通信装置４００および無線通信装置４０１間においてコンテンツおよびそのライセンス鍵をコピーする場合を簡略化して示す図である。
【０２１３】
ここで、ユーザ２０は、無線通信装置４００および無線通信装置４０１を所有しているものとする。また、ユーザ２０は、上述した方法により、所望のコンテンツおよびそのライセンス鍵を無線通信装置４００にダウンロードしたものとする。
【０２１４】
ここで、現在では、ＤＲＭにはドメインバインドと呼ばれる方法がある。この方法は、１人のユーザが複数の電子機器において１つのライセンス鍵を共有することを可能とするものである。すなわち、１人のユーザのドメイン（領域）であれば、１つのライセンス鍵を共有することが可能となる。このように、ユーザが１度購入したコンテンツ（例えば、電子書籍）は、ドメイン内にある複数の電子機器において自由に使用することができる。
【０２１５】
例えば、無線通信装置４００および無線通信装置４０１を所有するユーザ２０は、無線通信装置４００にダウンロードされたコンテンツおよびそのライセンス鍵を、そのまま無線通信装置４０１にコピーすることができる。これにより、ユーザ２０は、無線通信装置４００にダウンロードされたコンテンツを、無線通信装置４０１でも使用することができる。
【０２１６】
ただし、無線通信装置４０１をユーザ２０のドメイン内の電子機器とするためには、ライセンスサーバ３００に何等かの方法で事前に認証を受ける必要がある。そこで、以下では、この認証方法について説明する。
【０２１７】
［ドメイン鍵の取得例］
図２６は、本技術の第３の実施の形態における無線通信装置４０１を用いてドメイン鍵を取得する場合における取得時のデータの流れを簡略化して示す図である。
【０２１８】
ここで、無線通信装置４０１がユーザ２０の所有に係る電子機器であることを証明するための登録が必要となる。この登録例については、図２７を参照して詳細に説明する。
【０２１９】
例えば、ユーザ２０は、無線通信装置４００を用いてライセンスサーバ３００にアクセスして登録操作を行うことにより、ユーザ２０のドメイン鍵（第１ドメイン鍵５８０）を取得する（５９１）。これにより、無線通信装置４００がユーザ２０の所有に係る電子機器であることが証明される。
【０２２０】
同様に、ユーザ２０は、無線通信装置４０１を用いてライセンスサーバ３００にアクセスして登録操作を行うことにより、ユーザ２０のドメイン鍵（第１ドメイン鍵５８０）を取得する（５９２）。これにより、無線通信装置４０１がユーザ２０の所有に係る電子機器であることが証明される。
【０２２１】
このように、無線通信装置４０１がユーザ２０のドメイン鍵（第１ドメイン鍵５８０）を取得することにより、無線通信装置４００にダウンロードされたコンテンツおよびそのライセンス鍵をそのまま無線通信装置４０１にコピーしても使用することができる。
【０２２２】
例えば、ユーザ２０は、無線通信装置４００および無線通信装置４０１を用いて、無線通信装置４００にダウンロードされたコンテンツ５１０および第１ライセンス鍵５４０を、そのまま無線通信装置４０１にコピーするためのコピー操作を行う（５９３）。この場合には、例えば、近距離無線通信（例えば、ＴｒａｎｓｆｅｒＪｅｔ）を利用して、コンテンツ５１０および第１ライセンス鍵５４０が無線通信装置４００から無線通信装置４０１に送信される。
【０２２３】
続いて、コンテンツ５１０および第１ライセンス鍵５４０を受け取った無線通信装置４０１は、第１ライセンス鍵５４０と、事前に取得した第１ドメイン鍵５８０とを照合し、コンテンツ５１０を使用することができるか否かを判断する。この照合の結果、コンテンツ５１０を使用することができないと判断された場合には、何もしないか、コンテンツ５１０および第１ライセンス鍵５４０を削除する。一方、コンテンツ５１０を使用することができると判断された場合には、ユーザ２０は、無線通信装置４０１を用いてコンテンツ５１０を使用することが可能となる。
【０２２４】
［ドメイン登録時における通信例］
図２７は、本技術の第３の実施の形態における情報処理システム１００を構成する各装置間における通信処理例を示すシーケンスチャートである。図２７では、ユーザが無線通信装置４００を用いてドメイン登録を取得する例（８１９）と、ユーザが無線通信装置４０１を用いてドメイン登録を取得する例（８２０）とを示す。
【０２２５】
ここで、無線通信装置４００、４０１およびライセンスサーバ３００は、３Ｇネットワークを利用した無線通信や無線ＬＡＮ（例えば、Ｗｉ−Ｆｉ）を利用して無線通信により接続するものとする。また、無線通信装置４００、４０１およびライセンスサーバ３００は、近距離無線通信（例えば、ＴｒａｎｓｆｅｒＪｅｔ）を利用して接続するようにしてもよい。
【０２２６】
なお、上述したように、無線通信装置４００および無線通信装置４０１の機能構成については、略同様である。このため、以下では、無線通信装置４０１の構成として、無線通信装置４００に対応する部分については、無線通信装置４００と同一の符号を付して説明する。
【０２２７】
最初に、ユーザが無線通信装置４００を用いてドメイン登録を取得する例（８１９）について説明する。この例では、ユーザが無線通信装置４００を用いて最初のドメイン登録を行うものとする。
【０２２８】
最初に、ドメイン登録を行うため、ユーザが無線通信装置４００を用いて機器登録要求の送信操作を行う。例えば、ライセンスサーバ３００を運営する事業者の規定に従った内容を入力することにより送信操作を行う。
【０２２９】
このように、送信操作が行われた場合には、無線通信装置４００の制御部４３０は、機器登録要求をライセンスサーバ３００に送信する（８０１、８０２）。この機器登録要求には、送信操作により入力された各情報とともに、無線通信装置４００の端末識別情報や端末機種（例えば、図６に示す登録端末情報３３４に対応する情報）が含まれる。
【０２３０】
機器登録要求を受信した場合には（８０２）、ライセンスサーバ３００の制御部３４０は、受信した機器登録要求に基づいて登録処理を行う（８０３）。例えば、ライセンスサーバ３００の制御部３４０は、受信した機器登録要求に含まれる各情報を、ドメイン管理データベース３３０の登録端末情報３３４に記録する。また、ライセンスサーバ３００の制御部３４０は、機器登録要求を送信した無線通信装置４００に付与する各情報（ドメイン情報、パスワード、ドメイン鍵）を、図６に示すドメイン情報３３１、パスワード３３２、ドメイン鍵３３３に記録する。なお、パスワード等については、無線通信装置４００のユーザが設定または修正を行うようにしてもよい。また、無線通信装置４００に付与された各情報（ドメイン情報、パスワード）については、何らかの方法（例えば、郵送、電子メール）で無線通信装置４００のユーザに通知されるものとする。
【０２３１】
続いて、ライセンスサーバ３００の制御部３４０は、登録処理を行った無線通信装置４００にドメイン鍵（図６に示すドメイン鍵３３３）を送信する（８０４、８０５）。
【０２３２】
ドメイン鍵を受信した場合には（８０５）、無線通信装置４００の制御部４３０は、受信したドメイン鍵を記憶部４６０に記録させる（８０６）。続いて、無線通信装置４００の制御部４３０は、機器登録処理が完了した旨を通知するための機器登録完了通知をライセンスサーバ３００に送信する（８０７、８０８）。
【０２３３】
次に、ユーザが無線通信装置４０１を用いてドメイン登録を取得する例（８２０）について説明する。この例では、無線通信装置４００を用いたドメイン登録が既に行われているものとする。
【０２３４】
最初に、ドメイン登録を行うため、ユーザが無線通信装置４０１を用いて機器登録要求の送信操作を行う。例えば、ライセンスサーバ３００を運営する事業者の規定に従った内容を入力することにより送信操作を行う。例えば、無線通信装置４０１を用いたドメイン登録が既に行われているため、そのドメイン登録時に付与されたドメイン情報やパスワードの入力が行われる。
【０２３５】
このように、送信操作が行われた場合には、無線通信装置４０１の制御部４３０は、機器登録要求をライセンスサーバ３００に送信する（８１１、８１２）。この機器登録要求には、送信操作により入力された各情報（例えば、ドメイン情報やパスワード）とともに、無線通信装置４０１の端末識別情報や端末機種（例えば、図６に示す登録端末情報３３４に対応する情報）が含まれる。
【０２３６】
機器登録要求を受信した場合には（８１２）、ライセンスサーバ３００の制御部３４０は、受信した機器登録要求に基づいて登録処理を行う（８１３）。例えば、制御部３４０は、受信した機器登録要求に含まれる各情報（例えば、ドメイン情報やパスワード）と、ドメイン管理データベース３３０の内容（例えば、図６に示すドメイン情報３３１、パスワード３３２）とを比較して認証処理を行う。そして、比較対象となる各情報のそれぞれが一致する場合には、ドメイン鍵を送信することができると判断される。一方、比較対象となる各情報のうちの少なくとも１つが一致しない場合には、ドメイン鍵を送信することができないと判断される。このように、ドメイン鍵を送信することができないと判断された場合には、その旨を無線通信装置４０１に送信して表示させ、再度の送信操作を促すことができる。または、エラー通知を無線通信装置４０１に送信して表示させるようにしてもよい。
【０２３７】
また、ドメイン鍵を送信することができると判断された場合には、ライセンスサーバ３００の制御部３４０は、受信した機器登録要求に含まれる各情報を、ドメイン管理データベース３３０の登録端末情報３３４に記録する。
【０２３８】
続いて、ライセンスサーバ３００の制御部３４０は、登録処理を行った無線通信装置４０１にドメイン鍵（図６に示すドメイン鍵３３３）を送信する（８１４、８１５）。
【０２３９】
ドメイン鍵を受信した場合には（８１５）、無線通信装置４０１の制御部４３０は、受信したドメイン鍵を、無線通信装置４０１の記憶部４６０に記録させる（８１６）。続いて、無線通信装置４０１の制御部４３０は、機器登録処理が完了した旨を通知するための機器登録完了通知をライセンスサーバ３００に送信する（８１７、８１８）。
【０２４０】
［コンテンツコピー時における通信例］
図２８は、本技術の第３の実施の形態における情報処理システム１００を構成する各装置間における通信処理例を示すシーケンスチャートである。図２８では、無線通信装置４００および無線通信装置４０１間においてコンテンツおよびそのライセンス鍵をコピーする例を示す。
【０２４１】
なお、無線通信装置４００および無線通信装置４０１間は、近距離無線通信（例えば、ＴｒａｎｓｆｅｒＪｅｔ）を利用して接続するものとする。また、無線通信装置４０１は、ドメイン鍵を取得しているものとする。
【０２４２】
最初に、近距離無線通信を行うため、ユーザは、図２５に示すように、無線通信装置４００および無線通信装置４０１を、近距離無線通信が可能となる距離まで近接または接触させる。そして、ユーザは、無線通信装置４００においてコンテンツ送信要求の送信操作を行う。
【０２４３】
このように、送信操作が行われた場合には、無線通信装置４００の制御部４３０は、コンテンツ要求を無線通信装置４０１に送信する（８２１、８２２）。コンテンツ要求を受信した場合には（８２２）、無線通信装置４０１の制御部４３０は、コンテンツ要求に対応する要求確認コマンドを、無線通信装置４００に送信する（８２３、８２４）。
【０２４４】
要求確認コマンドを受信した場合には（８２４）、無線通信装置４００の制御部４３０は、コンテンツ送信要求の送信操作に応じたコンテンツおよびそのライセンス鍵を無線通信装置４０１に送信する（８２５、８２６）。
【０２４５】
コンテンツおよびそのライセンス鍵を受信した場合には（８２６）、無線通信装置４０１の制御部４３０は、受信したコンテンツおよびそのライセンス鍵を無線通信装置４０１の記憶部４６０に記録させる（８２７）。続いて、無線通信装置４０１の制御部４３０は、受信したライセンス鍵と、記憶部４６０に記憶されているドメイン鍵とを用いて、照合処理を行う（８２８）。この照合処理の結果、受信したコンテンツを使用することができると判断された場合には（８２８）、無線通信装置４０１の制御部４３０は、受信したライセンス鍵を用いて、コンテンツを無線通信装置４０１の表示部４５０に表示させる（８２９）。一方、照合処理の結果、受信したコンテンツを使用することができないと判断された場合には（８２８）、無線通信装置４０１の制御部４３０は、受信したコンテンツおよびそのライセンス鍵を、無線通信装置４０１の記憶部４６０から消去する。また、受信したコンテンツを表示することができない旨を、無線通信装置４０１の表示部４５０に表示させる。
【０２４６】
なお、他の電子機器（例えば、図１に示す無線通信装置４０２）にコンテンツおよびそのライセンス鍵をコピーする場合についても、本技術の第３の実施の形態を適用することができる。
【０２４７】
［無線通信装置の動作例］
図２９は、本技術の第３の実施の形態における無線通信装置４００によるドメイン登録処理の処理手順の一例を示すフローチャートである。
【０２４８】
最初に、制御部４３０は、機器登録要求の送信操作が行われたか否を判断し（ステップＳ９５１）、機器登録要求の送信操作が行われていない場合には、監視を継続して行う。一方、機器登録要求の送信操作が行われた場合には（ステップＳ９５１）、制御部４３０は、機器登録要求をライセンスサーバ３００に送信する（ステップＳ９５２）。
【０２４９】
続いて、制御部４３０は、ドメイン鍵を受信したか否を判断し（ステップＳ９５３）、ドメイン鍵を受信していない場合には、監視を継続して行う。一方、ドメイン鍵を受信した場合には（ステップＳ９５３）、制御部４３０は、受信したドメイン鍵を記憶部４６０に記録させる（ステップＳ９５４）。続いて、制御部４３０は、機器登録処理が完了した旨を通知するための機器登録完了通知をライセンスサーバ３００に送信する（ステップＳ９５５）。
【０２５０】
［無線通信装置の動作例］
図３０は、本技術の第３の実施の形態における無線通信装置４０１によるコンテンツコピー処理の処理手順の一例を示すフローチャートである。
【０２５１】
最初に、無線通信装置４０１の制御部４３０は、コンテンツ送信要求を受信したか否を判断し（ステップＳ９６１）、コンテンツ送信要求を受信していない場合には、監視を継続して行う。一方、コンテンツ送信要求を受信した場合には（ステップＳ９６１）、無線通信装置４０１の制御部４３０は、要求確認コマンドを無線通信装置４００に送信する（ステップＳ９６２）。
【０２５２】
続いて、無線通信装置４０１の制御部４３０は、コンテンツおよびそのライセンス鍵を受信したか否を判断し（ステップＳ９６３）、コンテンツおよびそのライセンス鍵を受信していない場合には、監視を継続して行う。一方、コンテンツおよびそのライセンス鍵を受信した場合には（ステップＳ９６３）、無線通信装置４０１の制御部４３０は、受信したコンテンツおよびそのライセンス鍵を、無線通信装置４０１の記憶部４６０に記録させる（ステップＳ９６４）。
【０２５３】
続いて、無線通信装置４０１の制御部４３０は、受信したライセンス鍵と、記憶部４６０に記憶されているドメイン鍵とを用いて、照合処理を行う（ステップＳ９６５）。この照合処理の結果、受信したコンテンツを使用することができると判断された場合には（ステップＳ９６６）、無線通信装置４０１の制御部４３０は、そのライセンス鍵を用いてコンテンツを無線通信装置４０１の表示部４５０に表示させる（ステップＳ９６７）。一方、受信したコンテンツを使用することができないと判断された場合には（ステップＳ９６６）、無線通信装置４０１の制御部４３０は、受信したコンテンツおよびそのライセンス鍵を、無線通信装置４０１の記憶部４６０から消去する（ステップＳ９６８）。また、受信したコンテンツを表示することができない旨を、無線通信装置４０１の表示部４５０に表示させる。
【０２５４】
このように、本技術の第３の実施の形態では、試し読み要求に係るコンテンツおよびその試し読み鍵をダウンロードした無線通信装置以外の他の無線通信装置においてコンテンツを使用することができる。すなわち、複数の無線通信装置によりコンテンツを共有することができる。
【０２５５】
なお、本技術の実施の形態では、書籍販売を行う電子書籍配信システムの一例を示したが、音楽販売や他のコンテンツの販売を行う配信システムについても本技術の実施の形態を適用することができる。
【０２５６】
また、本技術の実施の形態では、近距離無線通信として、ＴｒａｎｓｆｅｒＪｅｔを用いる例を示したが、他の近距離無線通信を用いるようにしてもよい。例えば、ＷｉＧｉｇ（WiGig Alliance（Wireless Gigabit Alliance）によって仕様策定が進められている高速無線通信の規格）を用いるようにしてもよい
【０２５７】
また、本技術の実施の形態では、コンテンツおよび試し読み鍵を本屋でダウンロードして、試し読み鍵を用いてコンテンツの一部を表示させた後に、コンテンツの全部を表示させるためのライセンス鍵を取得する例を示した。ただし、例えば、試し読みコンテンツ（コンテンツの一部を表示させるためのデータ（例えば、コンテンツを分割したデータ））を本屋でダウンロードして、この試し読みコンテンツを表示させるようにしてもよい。すなわち、利用制限が付されているコンテンツとして、コンテンツの一部を表示させるためのコンテンツのみを最初にダウンロードするようにしてもよい。この場合には、試し読みコンテンツの表示後に、全部を表示させるためのコンテンツを新たにダウンロードするようにする。
【０２５８】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２５９】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２６０】
なお、本技術は以下のような構成もとることができる。
（１）
無線通信装置により行われる近距離無線通信に応じて生じるコンテンツの取得要求を受け付ける受付部と、
前記受け付けられた取得要求に係るコンテンツであって利用制限が付されているコンテンツとこれに関連する付随情報とを前記無線通信装置に送信する制御を行う制御部と
を具備する情報処理装置。
（２）
前記受付部は、前記無線通信装置との間で近距離無線通信を行う近距離無線通信部であり、
前記取得要求は、前記無線通信装置との間で近距離無線通信が開始されたタイミングに応じて受け付けられる
前記（１）に記載の情報処理装置。
（３）
前記情報処理装置は、前記無線通信装置との間で近距離無線通信を行う通信装置と接続され、
前記取得要求は、前記無線通信装置と前記通信装置との間で近距離無線通信が開始されたタイミングに応じて前記無線通信装置および前記通信装置のうちの何れか一方から出力される
前記（１）に記載の情報処理装置。
（４）
前記制御部は、前記付随情報に利用制限を付して前記無線通信装置に送信する制御を行う前記（１）から（３）のいずれかに記載の情報処理装置。
（５）
前記制御部は、前記受け付けられた取得要求に係るコンテンツに関連する他のコンテンツであって利用制限が付されているコンテンツを前記付随情報として前記無線通信装置に送信する制御を行う前記（４）に記載の情報処理装置。
（６）
前記制御部は、前記受け付けられた取得要求に係るコンテンツとともに当該コンテンツの一部を利用可能とするための鍵情報を前記無線通信装置に送信する制御を行う前記（１）から（５）のいずれかに記載の情報処理装置。
（７）
前記制御部は、前記受け付けられた取得要求に係るコンテンツに関連する情報であって前記無線通信装置のユーザに所定のサービスを提供するためのサービス情報を前記付随情報として前記無線通信装置に送信する制御を行う前記（１）から（４）、（６）のいずれかに記載の情報処理装置。
（８）
前記制御部は、前記付随情報を前記無線通信装置に送信して、前記無線通信装置に設定されている専用メモリに前記付随情報を記憶させる制御を行う前記（１）から（７）のいずれかに記載の情報処理装置。
（９）
前記制御部は、前記専用メモリの許容量に応じた前記付随情報のみを前記無線通信装置に送信する制御を行う前記（８）に記載の情報処理装置。
（１０）
前記制御部は、前記無線通信装置により前記近距離無線通信が行われている場所と、前記無線通信装置のユーザと、当該近距離無線通信が行われた日時と、前記受け付けられた取得要求に係るコンテンツの内容との少なくとも１つに基づいて、前記付随情報を決定する前記（１）から（９）のいずれかに記載の情報処理装置。
（１１）
近距離無線通信に応じて生じるコンテンツの取得要求に応じて情報処理装置から送信されるコンテンツであって利用制限が付されているコンテンツとこれに関連する情報であって利用制限が付されている付随情報とを前記情報処理装置から取得し、前記取得されたコンテンツと前記取得された付随情報とを利用制限の範囲内で使用する制御を行う制御部を具備する無線通信装置。
（１２）
近距離無線通信に応じて生じるコンテンツの取得要求に応じて情報処理装置から送信されるコンテンツであって利用制限が付されているコンテンツとこれに関連する情報であって利用制限が付されている付随情報とを前記情報処理装置から取得し、前記取得されたコンテンツと前記取得された付随情報とを利用制限の範囲内で使用する制御を行う制御部を備える無線通信装置と、
前記取得要求に係るコンテンツと前記付随情報とを前記無線通信装置に送信する制御を行う制御部を備える情報処理装置と
を具備する情報処理システム。
（１３）
無線通信装置により行われる近距離無線通信に応じて生じるコンテンツの取得要求を受け付ける受付手順と、
前記受け付けられた取得要求に係るコンテンツであって利用制限が付されているコンテンツとこれに関連する付随情報とを前記無線通信装置に送信する制御手順と
を具備する情報処理方法。
【符号の説明】
【０２６１】
１００  情報処理システム
１１０  ネットワーク
１２０  通信制御装置
１２１  基地局
２００  コンテンツサーバ
２１０  通信部
２２０  コンテンツ提供部
２３０  コンテンツ管理データベース
２４０  制御部
２５０  タッチポイント
３００  ライセンスサーバ
３１０  通信部
３２０  ライセンス鍵管理データベース
３３０  ドメイン管理データベース
３４０  制御部
４００〜４０２  無線通信装置
４１０  無線通信部
４２０  近距離無線通信部
４３０  制御部
４４０  操作受付部
４５０  表示部
４６０  記憶部
【図１】
2013247594.tif 000003
【図２】
2013247594.tif 000004
【図３】
2013247594.tif 000005
【図４】
2013247594.tif 000006
【図５】
2013247594.tif 000007
【図６】
2013247594.tif 000008
【図７】
2013247594.tif 000009
【図８】
2013247594.tif 000010
【図９】
2013247594.tif 000011
【図１０】
2013247594.tif 000012
【図１１】
2013247594.tif 000013
【図１２】
2013247594.tif 000014
【図１３】
2013247594.tif 000015
【図１４】
2013247594.tif 000016
【図１５】
2013247594.tif 000017
【図１６】
2013247594.tif 000018
【図１７】
2013247594.tif 000019
【図１８】
2013247594.tif 000020
【図１９】
2013247594.tif 000021
【図２０】
2013247594.tif 000022
【図２１】
2013247594.tif 000023
【図２２】
2013247594.tif 000024
【図２３】
2013247594.tif 000025
【図２４】
2013247594.tif 000026
【図２５】
2013247594.tif 000027
【図２６】
2013247594.tif 000028
【図２７】
2013247594.tif 000029
【図２８】
2013247594.tif 000030
【図２９】
2013247594.tif 000031
【図３０】
2013247594.tif 000032